(57)【要約】  本願はディスプレイ駆動装置及びサブピクセル駆動方法を開示した。該方法は、カラー画像信号を最小グレースケール及び最大グレースケールによって表されるグレースケール画像信号に変換することと、前記ピクセル構造に基づいて、行方向に配列された複数のサブピクセルを含むサブピクセル繰り返し単位を選択することと、連続する複数のフレーム期間において、前記サブピクセル繰り返し単位の内部サブピクセル及び隣接する外部サブピクセルを利用してデータディザリングを行い、前記グレースケール画像信号をレンダリング画像信号に変換することにおいて、前記レンダリング画像信号のサブピクセルにはデータディザリングにより生成される同等の中間グレースケールがある、ことと、レンダリング画像信号を利用して前記複数のサブピクセルを駆動することとを含む。該方法は、同等の中間グレースケールを取得するように、連続するフレーム期間に複数のサブピクセルをディザリング処理し、それによりカラーアーティファクトの発生を抑制する。
2021513671.tif 000002
【特許請求の範囲】
【請求項１】
表示画面のサブピクセルを駆動する方法であって、
前記表示画面が複数のピクセル単位を含み、前記複数のピクセル単位がそれぞれピクセル構造に配列して、異なる色を表示するための複数のサブピクセルを含み、前記方法は、
カラー画像信号を最小グレースケール及び最大グレースケールによって表されるグレースケール画像信号に変換することと、
前記ピクセル構造に基づいて、行方向に配列された複数のサブピクセルを含むサブピクセル繰り返し単位を選択することと、
連続する複数のフレーム期間において、前記サブピクセル繰り返し単位の内部サブピクセル及び隣接する外部サブピクセルを利用してデータディザリングを行い、前記グレースケール画像信号をレンダリング画像信号に変換することにおいて、前記レンダリング画像信号のサブピクセルにはデータディザリングにより生成される同等の中間グレースケールがある、ことと、
レンダリング画像信号を利用して前記複数のサブピクセルを駆動することとを含む、方法。
【請求項２】
前記ピクセル構造は行方向及び列方向を含む配列構造であり、サブピクセル繰り返し単位を選択するステップは、
行方向に沿って前記サブピクセル繰り返し単位を決定することと、
前記サブピクセル繰り返し単位と同等のピクセル単位との数量比Ｓを取得することと、を含み、前記同等のピクセル単位は赤、緑及び青の三色を表示するための１組のサブピクセルを含む請求項１に記載の方法。
【請求項３】
前記データディザリングのディザリング期間は連続する複数のフレーム期間を含み、数量比Ｓの取得ステップとデータディザリングステップとの間に、前記ディザリング期間を取得するステップがさらに含まれ、前記複数のフレーム期間のフレーム数Ｎと数量比Ｓとの積は１以上の整数である請求項２に記載の方法。
【請求項４】
前記サブピクセル繰り返し単位の数量比Ｓは１／２、１／３、２／３の１つであり、前記ディザリング期間のフレーム数Ｎは２、６、６の対応する１つであり、前記同等の中間グレースケールは最大グレースケールの１／２、１／３、２／３の対応する１つである請求項３に記載の方法。
【請求項５】
前記外部サブピクセルは前記サブピクセル繰り返し単位の片側又は両側に隣接するサブピクセルであり、前記外部サブピクセルは前記サブピクセル繰り返し単位に含まれない色のサブピクセルを補完する請求項１に記載の方法。
【請求項６】
データディザリングステップにおいて、前記複数のフレーム期間の少なくとも１つのフレーム期間には、前記サブピクセル繰り返し単位の内部サブピクセル及び外部サブピクセルの少なくとも１つのサブピクセルは画像信号と無関係に最小グレースケールに維持される請求項１に記載の方法。
【請求項７】
前記データディザリングにより、表示画面の消費電力を削減し、カラーアーティファクトを抑制する請求項１に記載の方法。
【請求項８】
受信したカラー画像信号を第１駆動信号に処理するための第１駆動チャンネルと、
受信したカラー画像信号を第２駆動信号に処理するための第２駆動チャンネルと、
表示画面の第１モード及び第２モード選択信号に基づいて、第１駆動チャンネル及び第２駆動チャンネルの１つを選択するための選択ユニットにおいて、前記表示画面の第２モードの消費電力が第１モードの消費電力よりも小さい、選択ユニットとを備え、
前記第２駆動チャンネルは、同等の中間グレースケールを取得するように、連続する複数のフレーム期間に画像信号をディザリング処理するディスプレイ駆動装置。
【請求項９】
前記第２駆動チャンネルは、
前記カラー画像信号を最小グレースケール及び最大グレースケールによって表されるグレースケール画像信号に変換するためのデータ変換モジュールと、
連続する複数のフレーム期間において、レンダリング画像信号を生成するように、前記グレースケール画像信号をディザリング処理するためのデータディザリングモジュールと、
前記レンダリング画像信号のバイナリ値に基づいて、最小グレースケール及び最大グレースケールの１つを選択する電圧選択モジュールにおいて、前記レンダリング画像信号のサブピクセルには、データディザリングにより生成される同等の中間グレースケールがある電圧選択モジュールとを含む請求項８に記載のディスプレイ駆動装置。
【発明の詳細な説明】
【技術分野】
【０００１】
本願は２０１８年８月１７日に提出された、出願番号が２０１８１０９３９７９８．４、発明の名称が「ディスプレイ駆動装置及びサブピクセル駆動方法」の中国特許出願の優先権を主張し、その内容の全てを参照として本願に援用する。
【０００２】
［技術分野］
本発明は画像処理技術に関し、さらに具体的には、ディスプレイ駆動装置及びサブピクセル駆動方法に関する。
【背景技術】
【０００３】
表示画面に表示される画像を観察するとき、画質は観察者の視角に関連している。例えば、観察者の視角が表示画面表面の法線方向に沿っている場合、画質は最高になる。視角が法線方向から外れるほど、画質は次第に低下する。画質が低下する主な理由はカラーアーティファクトであり、即ち、視角が法線方向から外れると、赤、緑、青のサブピクセルの輝度は全部低下するが、低下の程度が異なるため、観察者の知覚する色は所定の値から逸脱し、それによりカラーアーティファクトを形成する。
【０００４】
上記のカラーアーティファクトの問題は、高視角で画像を観察する場合に存在するだけでなく、表示画面の低電力モードでも存在する。表示画面の駆動回路は、通常の表示モードと低電力モードで動作し、異なるディスプレイ駆動チャンネルを使用して表示データを処理するように構成されてもよい。表示画面の低電力モードでは、マルチビットで表される表示データを、１ビットで表される表示データに変換することができ、各サブピクセルの輝度値を１又は０に設定し、それによってカラー画像を、最大グレースケール及び最小グレースケールのサブピクセルによって表されるグレースケール画像に変換する。観察者が知覚する赤、緑、青のサブピクセルの輝度変化程度は異なる。たとえ視角が変化しなくても、観察者の知覚する色は所定の値から逸脱し、それによりカラーアーティファクトを形成することにもなる。
【０００５】
表示データに対してサブピクセルレンダリング（ＳＰＲ）を行うことにより、カラーアーティファクトを減らすことができる。通常の表示モードでは、ＳＰＲ駆動チャンネルは、複数のサブピクセル繰り返し単位を含み、サブピクセル繰り返し単位が１つ又は２つのサブピクセルを含むピクセル単位である。サブピクセルレンダリングは、大きな視角での画質を向上させるだけでなく、表示画面の視角範囲を拡大することができる。ただし、サブピクセルレンダリングは、画像のエッジにカラーエッジ（ｃｏｌｏｒ  ｅｄｇｅ）が生じ、画像のローカル領域にカラーアーティファクトが発生するという新しい問題を引き起こす可能性がある。
【０００６】
したがって、表示画面の消費電力制御と画質のバランスをとるように、サブピクセル駆動方法をさらに改善することが期待されている。
【発明の概要】
【０００７】
上記問題に鑑み、本発明の目的は、連続するフレーム期間における複数のサブピクセルのディザリング処理により、同等の中間グレースケールを得て、カラーアーティファクトの発生を抑制することである。
【０００８】
本発明の第１態様によれば、表示画面用サブピクセル駆動方法を提供し、前記表示画面は複数のピクセル単位を含み、前記複数のピクセル単位がそれぞれピクセル構造に配列し、異なる色を表示するための複数のサブピクセルを含み、前記方法は、カラー画像信号を最小グレースケール及び最大グレースケールによって表されるグレースケール画像信号に変換することと、前記ピクセル構造に基づいて、行方向に沿って配列される複数のサブピクセルを含むサブピクセル繰り返し単位を選択することと、連続する複数のフレーム期間には、前記サブピクセル繰り返し単位の内部サブピクセル及び隣接する外部サブピクセルを利用してデータディザリングを行い、前記グレースケール画像信号をレンダリング画像信号に変換することにおいて、前記レンダリング画像信号のサブピクセルには、データディザリングによって生成れた同等の中間グレースケールがある、ことと、レンダリング画像信号を用いて前記複数のサブピクセルを駆動することとを含む。
【０００９】
好ましくは、前記ピクセル構造は、行方向及び列方向を含む配列構造であり、サブピクセル繰り返し単位を選択するステップは、行方向に沿って前記サブピクセル繰り返し単位を決定することと、前記サブピクセル繰り返し単位と同等のピクセル単位との数量比Ｓを取得することとを含み、前記同等のピクセル単位は、赤、緑、青の三色を表示するための１組のサブピクセルを含む。
【００１０】
好ましくは、前記データディザリングのディザリング期間は連続する複数のフレーム期間を含み、数量比Ｓの取得ステップとデータディザリングのステップとの間に、前記ディザリング期間を取得することがさらに含まれ、前記複数のフレーム期間のフレーム数Ｎと数量比Ｓとの積が１以上の整数である。
【００１１】
好ましくは、前記サブピクセル繰り返し単位の数量比Ｓは１／２、１／３、２／３の１つであり、前記ディザリング期間のフレーム数Ｎは２、６、６の対応する１つであり、前記同等の中間グレースケールが最大グレースケールの１／２、１／３、２／３の対応する１つである。
【００１２】
好ましくは、前記外部サブピクセルは前記サブピクセル繰り返し単位の片側又は両側に隣接するサブピクセルであり、前記外部サブピクセルはサブピクセル繰り返し単位に含まれない色のサブピクセルを補完する。
【００１３】
好ましくは、データディザリングのステップにおいて、前記複数のフレーム期間の少なくとも１つのフレーム期間には、前記サブピクセル繰り返し単位の内部サブピクセル及び外部サブピクセルの少なくとも１つのサブピクセルは、画像信号とは無関係に最小グレースケールに維持される。
【００１４】
好ましくは、前記データディザリングにより、表示画面の消費電力を削減し、カラーアーティファクトを抑制する。
【００１５】
本発明の第２態様によれば、受信したカラー画像信号を第１駆動信号に処理するための第１駆動チャンネルと、受信したカラー画像信号を第２駆動信号に処理するための第２駆動チャンネルと、表示画面の第１モード及び第２モード選択信号に基づいて、第１駆動チャンネル及び第２駆動チャンネルの１つを選択するための選択ユニットとを備える、ディスプレイ駆動装置を提供し、ここで、前記表示画面の第２モードの消費電力が第１モードの消費電力よりも小さく、前記第２駆動チャンネルは、同等の中間グレースケールを得るように、連続する複数のフレーム期間に画像信号をディザリング処理する。
【００１６】
好ましくは、前記第２駆動チャンネルは、前記カラー画像信号を最小グレースケール及び最大グレースケールによって表されるグレースケール画像信号に変換するためのデータ変換モジュールと、連続する複数のフレーム期間には、レンダリング画像信号を生成するように、前記グレースケール画像信号をディザリングするためのデータディザリングモジュールと、前記レンダリング画像信号のバイナリ値に基づいて、最小グレースケール及び最大グレースケールの１つを選択するための電圧選択モジュールにおいて、前記レンダリング画像信号のサブピクセルには、データのディザリングによって生成される同等の中間グレースケールがある、電圧選択モジュールとを含む。
【００１７】
本発明の実施例に係るディスプレイ駆動装置及びサブピクセル駆動方法によれば、隣接する複数のサブピクセルをピクセル繰り返し単位として使用し、同等の中間グレースケールを取得するように、連続する複数のフレーム期間にディザリング処理を行う。該連続する複数のフレーム期間はディザリング期間を構成する。表示画面の低電力モードでは、カラー画像を最大グレースケール及び中間グレースケールのサブピクセルによって表されるグレースケール画像に変換する。該改善されたサブピクセルレンダリングにより、低電力モードでのサブピクセルの同等輝度値が低下し、消費電力がさらに削減するだけでなく、観察者が知覚する異なる色のサブピクセルの輝度値の差も減少し、したがって、カラーアーティファクトの発生を抑えることに役立つ。
【図面の簡単な説明】
【００１８】
本発明の上記及び追加の目的、特徴及び利点は、以下の図面を参照した本発明の実施例の説明からより明らかになる。図面において、
【００１９】
【図１】図１は、本発明に係るディスプレイ駆動装置の概略ブロック図を示す。
【図２】図２は、本発明に係るサブピクセル駆動方法のフローチャートを示す。
【図３ａ】図３ａは第１タイプの表示画面のピクセル構造及びピクセル拡散タイプの概略図を示す。
【図３ｂ】図３ｂは第１タイプの表示画面のピクセル構造及びピクセル拡散タイプの概略図を示す。
【図４ａ】図４ａは、本発明の第１実施例に係るサブピクセル駆動方法の第１サブピクセル繰り返し単位の概略図を示す。
【図４ｂ】図４ｂは、本発明の第１実施例に係るサブピクセル駆動方法の第１サブピクセル繰り返し単位の概略図を示す。
【図５ａ】図５ａは、本発明の第１実施例に係るサブピクセル駆動方法の第２サブピクセル繰り返し単位の概略図を示す。
【図５ｂ】図５ｂは、本発明の第１実施例に係るサブピクセル駆動方法の第２サブピクセル繰り返し単位の概略図を示す。
【図６ａ】図６ａは、本発明の第１実施例に係るサブピクセル駆動方法の第３サブピクセル繰り返し単位の概略図を示す。
【図６ｂ】図６ｂは、本発明の第１実施例に係るサブピクセル駆動方法の第３サブピクセル繰り返し単位の概略図を示す。
【図７ａ】図７ａは、本発明の第２実施例に係るサブピクセル駆動方法の第１サブピクセル繰り返し単位の概略図を示す。
【図７ｂ】図７ｂは、本発明の第２実施例に係るサブピクセル駆動方法の第１サブピクセル繰り返し単位の概略図を示す。
【図８ａ】図８ａは、本発明の第２実施例に係るサブピクセル駆動方法の第２サブピクセル繰り返し単位の概略図を示す。
【図８ｂ】図８ｂは、本発明の第２実施例に係るサブピクセル駆動方法の第２サブピクセル繰り返し単位の概略図を示す。
【図９ａ】図９ａは、本発明の第２実施例に係るサブピクセル駆動方法の第３サブピクセル繰り返し単位の概略図を示す。
【図９ｂ】図９ｂは、本発明の第２実施例に係るサブピクセル駆動方法の第３サブピクセル繰り返し単位の概略図を示す。
【図１０ａ】図１０ａは第２タイプの表示画面のピクセル構造及びピクセル拡散タイプの概略図を示す。
【図１０ｂ】図１０ｂは第２タイプの表示画面のピクセル構造及びピクセル拡散タイプの概略図を示す。
【図１１】図１１は、本発明の第３実施例に係るサブピクセル駆動方法のサブピクセル繰り返し単位の概略図を示す。
【図１２ａ】図１２ａは第３タイプの表示画面のピクセル構造及びピクセル拡散タイプの概略図を示す。
【図１２ｂ】図１２ｂは第３タイプの表示画面のピクセル構造及びピクセル拡散タイプの概略図を示す。
【図１３】図１３は、本発明の第４実施例に係るサブピクセル駆動方法の第１サブピクセル繰り返し単位の概略図を示す。
【図１４】図１４は、本発明の第４実施例に係るサブピクセル駆動方法の第２サブピクセル繰り返し単位の概略図を示す。
【図１５】図１５は、本発明の第４実施例に係るサブピクセル駆動方法の第３サブピクセル繰り返し単位の概略図を示す。
【図１６ａ】図１６ａは第４タイプの表示画面のピクセル構造及びピクセル拡散タイプの概略図を示す。
【図１６ｂ】図１６ｂは第４タイプの表示画面のピクセル構造及びピクセル拡散タイプの概略図を示す。
【図１６ｃ】図１６ｃは第４タイプの表示画面のピクセル構造及びピクセル拡散タイプの概略図を示す。
【図１７】図１７は、本発明の第５実施例に係るサブピクセル駆動方法の第１サブピクセル繰り返し単位の概略図を示す。
【図１８】図１８は、本発明の第５実施例に係るサブピクセル駆動方法の第２サブピクセル繰り返し単位の概略図を示す。
【図１９ａ】図１９ａは、第５タイプの表示画面のピクセル構造及びピクセル拡散タイプの概略図を示す。
【図１９ｂ】図１９ｂは、第５タイプの表示画面のピクセル構造及びピクセル拡散タイプの概略図を示す。
【図１９ｃ】図１９ｃは、第５タイプの表示画面のピクセル構造及びピクセル拡散タイプの概略図を示す。
【図２０】図２０は、本発明の第６実施例に係るサブピクセル駆動方法の第１サブピクセル繰り返し単位の概略図を示す。
【図２１】図２１は、本発明の第６実施例に係るサブピクセル駆動方法の第２サブピクセル繰り返し単位の概略図を示す。
【発明を実施するための形態】
【００２０】
以下、本発明の様々な実施例を、添付の図面を参照しながらより詳細に説明する。様々な図面において、同じ要素は同じ又は類似の参照番号で示す。明確にするために、図面の各部分は縮尺通りに描かれていない。
【００２１】
次に、添付の図面及び実施例を参照しながら本発明をさらに説明する。
【００２２】
図１は、本発明に係るディスプレイ駆動装置の概略ブロック図を示す。該ディスプレイ駆動装置１００は、表示画面を駆動するように構成されており、該表示画面が、異なる色を表示するための複数のサブピクセルをそれぞれ含む複数のピクセル単位を備える。ディスプレイ駆動装置１００は、選択ユニット１０１、第１駆動チャンネル１１０、及び第２駆動チャンネル１２０を備える。
【００２３】
選択ユニット１０１は表示画面のモード選択信号に基づいて、第１駆動チャンネル１１０及び第２駆動チャンネル１２０の１つを選択する。第１駆動チャンネル１１０及び第２駆動チャンネル１２０は受信した画像信号をそれぞれ、表示画面の通常表示モードと低電力モードで第１駆動信号及び第２駆動信号に処理する。
【００２４】
第１駆動チャンネル１１０は第１電圧変換モジュール１１１、モード評価モジュール１１２、ピクセル補償モジュール１１３及び第２電圧変換モジュール１１４を含む。第１電圧変換モジュール１１１は非線形ガンマ画像信号を線形画像信号に変換する。モード評価モジュール１１２は例えば、画像に対してエッジ検出を行う。ピクセル補償モジュール１１３は、例えば、画像品質を改善するように、画像のエッジ情報を補償する。第２電圧変換モジュール１１４は、線形画像信号を第１駆動信号として非線形ガンマ画像信号に再変換する。
【００２５】
第２駆動チャンネルはデータ変換モジュール１２１、データディザリングモジュール１２２及び電圧選択モジュール１２３を含む。データ変換モジュール１２１は受信したカラー画像信号を、最小グレースケール及び最大グレースケールによって表されるグレースケール画像信号に変換する。データディザリングモジュール１２２は連続する複数のフレーム期間に、グレースケール画像信号に対してディザリング処理を行い、グレースケール画像信号をレンダリング画像信号に変換し、前記レンダリング画像信号のサブピクセルには、データディザリングにより生成される同等の中間グレースケールがある。電圧選択モジュール１２３はレンダリング画像信号のバイナリ値に基づいて、最小グレースケール及び最大グレースケールの１つを選択し、表示画面の複数のサブピクセルを駆動するための第２駆動信号を取得する。
【００２６】
本発明の実施例に係るディスプレイ駆動装置によれば、表示画面の低電力モードでは、カラー画像を最大グレースケール及び中間グレースケールのサブピクセルによって表されるグレースケール画像に変換する。データディザリングモジュールは、連続する複数のフレーム期間に、同等の中間グレースケールを取得するように、ディザリング処理を行い、低電力モードでのサブピクセルの同等輝度値を小さくし、消費電力をさらに削減できるだけでなく、観察者が知覚する異なる色のサブピクセルの輝度値の差もそれに応じて減少するため、カラーアーティファクトの発生を抑制することに役立つ。
【００２７】
図２は、本発明に係るサブピクセル駆動方法のフローチャートを示す。
【００２８】
ステップＳ０１では、受信したカラー画像信号を最小グレースケール及び最大グレースケールによって表されるグレースケール画像信号に変換する。該ステップでは、例えば、表示画面の低電力モードに必要な画像信号を生成する。
【００２９】
ステップＳ０２では、表示画面のピクセル構造に基づいて、サブピクセル繰り返し単位を選択する。ピクセル構造は行方向及び列方向を含む配列構造である。例えば、行方向に沿ってサブピクセル繰り返し単位を決定する。
【００３０】
該実施例において、サブピクセル繰り返し単位の内部サブピクセルは例えば、赤、緑、青の一部のみの１組のサブピクセルを含む。サブピクセル繰り返し単位の内部サブピクセル及びその隣接する外部サブピクセルは同等のピクセル単位に構成することができる。同等のピクセル単位は赤、緑、青の三色の１組のサブピクセルを含む。
【００３１】
サブピクセル繰り返し単位の数量比Ｓはその同等のピクセル単位に対する比率である。例えば、隣接する３つのサブピクセル繰り返し単位は２つの同等のピクセル単位を含む場合、数量比Ｓ＝２／３になる。
【００３２】
ステップＳ０３では、連続する複数のフレーム期間には、サブピクセル繰り返し単位の内部サブピクセル及び隣接する外部サブピクセルを用いてデータディザリングを行い、前記グレースケール画像信号をレンダリング画像信号に変換し、前記レンダリング画像信号のサブピクセルにはデータディザリングにより生成される同等の中間グレースケールがある。
【００３３】
データディザリングに用いられた外部サブピクセルは前記サブピクセル繰り返し単位の一方側又は両側の隣接するサブピクセルであり、前記外部サブピクセルは前記サブピクセル繰り返し単位に含まれない色のサブピクセルを補完する。
【００３４】
データディザリングに採用したディザリング期間Ｔｄは連続する複数のフレーム期間Ｔｆを含む。例えば、サブピクセル繰り返し単位の数量比Ｓに基づいて、ディザリング期間Ｔｄを取得する。ディザリング期間Ｔｄに含まれたフレーム数Ｎと数量比Ｓとの積は１以上の整数である。
【００３５】
例えば、サブピクセル繰り返し単位の数量比Ｓは１／２、１／３、２／３の１つであり、前記ディザリング期間のフレーム数Ｎは２、６、６の対応する１つであり、前記同等の中間グレースケールは最大グレースケールの１／２、１／３、２／３の対応する１つである。
【００３６】
ステップＳ０４では、レンダリング画像信号を用いて表示画面の複数のサブピクセルを駆動する。
【００３７】
本発明の実施例に係るサブピクセル駆動方法によれば、連続する複数のフレーム期間に、同等の中間グレースケールを取得するように、ディザリング処理を行い、低電力モードでのサブピクセルの同等の輝度値を下げ、電力消費をさらに削減できるとともに、観察者が知覚する異なる色のサブピクセル輝度値の差もそれに応じて削減され、それによりカラーアーティファクトの発生を抑制することに役立つ。
【００３８】
図３ａ及び３ｂは第１タイプの表示画面のピクセル構造及びピクセル拡散タイプの概略図を示す。
【００３９】
図３ａに示すように、サブピクセル繰り返し単位２０１〜２０３の幅Ｗはそれぞれ２つのサブピクセルの幅である。サブピクセル繰り返し単位２０１を例として、第１行のサブピクセル繰り返し単位２０１は隣接する１つの赤及び１つの緑のサブピクセルを含み、第２行のサブピクセル繰り返し単位２０１には中間の１つの青のサブピクセル、及び隣接する１つの１／２緑のサブピクセル及び１つの１／２赤のサブピクセルが含まれ、以下同様である。したがって、各行において、互いに隣接する３つのサブピクセル繰り返し単位は２つの赤のサブピクセル、２つの緑のサブピクセル及び２つの青のサブピクセルを含む。
【００４０】
図３ｂに示すように、第１行のサブピクセル繰り返し単位２０１〜２０３は、両側拡散し、即ち、サブピクセル繰り返し単位がその両側に隣接するサブピクセル単位とともにディザリング処理され、第２行のサブピクセル繰り返し単位２０１〜２０３は片側拡散し、即ち、サブピクセル繰り返し単位がその一方側に隣接するサブピクセル単位とともににディザリング処理され、以下同様である。
【００４１】
該実施例において、サブピクセル繰り返し単位２０１の数量比がＳ＝２／３で、ディザリング期間Ｔｄのフレーム数がＮ＝６であり、数量比Ｓとフレーム数Ｎとの積が整数２である。
【００４２】
図４ａ及び図４ｂは、本発明の第１実施例に係るサブピクセル駆動方法の第１サブピクセル繰り返し単位の概略図を示す。該サブピクセル駆動方法は例えば、図３ａ及び３ｂに示す第１タイプの表示画面に用いられる。
【００４３】
図４ａに示すように、第１行のサブピクセル繰り返し単位２０１を例として、両側拡散するデータディザリングを説明する。サブピクセル繰り返し単位２０１の第１行は、一方側が互いに隣接する赤のサブピクセルＲ１１及び緑のサブピクセルＧ１１を含む。赤のサブピクセルＲ１１の他方側には青のサブピクセルＢ１１があり、緑のサブピクセルＧ１１の他方側には青のサブピクセルＢ１２がある。連続する６つのフレーム期間のフレーム０〜フレーム５には、赤のサブピクセルＲ１１がフレーム期間のフレーム０、フレーム１、フレーム４及びフレーム５の４つのフレーム期間に点灯し、緑のサブピクセルＧ１１がフレーム期間のフレーム１〜フレーム４の４つのフレーム期間に点灯し、青のサブピクセルＢ１１がフレーム期間のフレーム０及びフレーム５の２つのフレーム期間に点灯し、青のサブピクセルＢ１２がフレーム期間のフレーム２及びフレーム３の２つのフレーム期間に点灯する。したがって、サブピクセル繰り返し単位２０１の２つのサブピクセル及び隣接する２つのサブピクセルの合計４つのサブピクセルは、連続する６つのフレーム期間において、同等のグレースケールが最大グレースケールの２／３であり、それによって中間グレースケールを実現した。
【００４４】
図４ｂに示すように、第２行のサブピクセル繰り返し単位２０１を例として、片側拡散するデータディザリングを説明する。サブピクセル繰り返し単位２０１の第２行から、一方側が互いに隣接する緑のサブピクセルＧ２１及び青のサブピクセルＢ２１を選択する。青のサブピクセルＢ２１の他方側には赤のサブピクセルＧ２１がある。連続する６つのフレーム期間のフレーム０〜フレーム５において、緑のサブピクセルＧ２１はフレーム期間のフレーム０、フレーム２、フレーム３及びフレーム５の４つのフレーム期間に点灯し、青のサブピクセルＢ２１はフレーム期間のフレーム０、フレーム１、フレーム３及びフレーム４の合計４つのフレーム期間に点灯し、赤のサブピクセルＲ２１はフレーム期間のフレーム１、フレーム２、フレーム４及びフレーム５の合計４つのフレーム期間に点灯する。したがって、サブピクセル繰り返し単位２０１の２つのサブピクセル及び隣接する１つのサブピクセルの合計３つのサブピクセルは、連続する６つのフレーム期間には、同等のグレースケールが最大グレースケールの２／３であり、中間グレースケールを実現した。
【００４５】
図５ａ及び図５ｂは、本発明の第１実施例に係るサブピクセル駆動方法の第２サブピクセル繰り返し単位の概略図を示す。該サブピクセル駆動方法は、例えば、図３ａ及び３ｂに示す第１タイプの表示画面に用いられる。
【００４６】
図５ａに示すように、第１行のサブピクセル繰り返し単位２０２を例として、両側拡散するデータディザリングを説明する。サブピクセル繰り返し単位２０２の第１行は、一方側が互いに隣接する青のサブピクセルＢ１１及び赤のサブピクセルＲ１１を含む。青のサブピクセルＢ１１の他方側には緑のサブピクセルＧ１１があり、赤のサブピクセルＲ１１の他方側には緑のサブピクセルＧ１２がある。連続する６つのフレーム期間のフレーム０〜フレーム５において、青のサブピクセルＢ１１はフレーム期間のフレーム０、フレーム１、フレーム４及びフレーム５の合計４つのフレーム期間に点灯し、赤のサブピクセルＲ１１はフレーム期間のフレーム１〜フレーム４の合計４つのフレーム期間に点灯し、緑のサブピクセルＧ１１はフレーム期間のフレーム０〜フレーム５の合計２つのフレーム期間に点灯し、緑のサブピクセルＧ１２はフレーム期間のフレーム２及びフレーム３の合計２つのフレーム期間に点灯する。したがって、サブピクセル繰り返し単位２０２の２つのサブピクセル及び隣接する２つのサブピクセルの合計４つのサブピクセルは、連続する６つのフレーム期間において、同等のグレースケールが最大グレースケールの２／３であり、中間グレースケールを実現した。
【００４７】
図５ｂに示すように、第２行のサブピクセル繰り返し単位２０２を例として、片側拡散するデータディザリングを説明する。サブピクセル繰り返し単位２０２の第２行から、一方側が互いに隣接する赤のサブピクセルＲ２１及び緑のサブピクセルＧ２１を選択する。緑のサブピクセルＧ２１の他方側には青のサブピクセルＢ２１がある。連続する６つのフレーム期間のフレーム０〜フレーム５において、赤のサブピクセルＲ２１はフレーム期間のフレーム０、フレーム２、フレーム３及びフレーム５の合計４つのフレーム期間に点灯し、緑のサブピクセルＧ２１はフレーム期間のフレーム０、フレーム１、フレーム３及びフレーム４の合計４つのフレーム期間に点灯し、青のサブピクセルＢ２１はフレーム期間のフレーム１、フレーム２、フレーム４及びフレーム５の４つのフレーム期間に点灯する。したがって、サブピクセル繰り返し単位２０２の２つのサブピクセル及び隣接する１つのサブピクセルの合計３つのサブピクセルは、連続する６つのフレーム期間において、同等のグレースケールが最大グレースケールの２／３であり、中間グレースケールを実現した。
【００４８】
図６ａ及び図６ｂは、本発明の第１実施例に係るサブピクセル駆動方法の第３サブピクセル繰り返し単位の概略図を示す。該サブピクセル駆動方法は、例えば、図３ａ及び３ｂに示す第１タイプの表示画面に用いられる。
【００４９】
図６ａに示すように、第１行のサブピクセル繰り返し単位２０３を例として、両側拡散するデータディザリングを説明する。サブピクセル繰り返し単位２０３の第１行は、一方側が互いに隣接する赤のサブピクセルＲ１１及び青のサブピクセルＢ１１を含む。赤のサブピクセルＲ１１の他方側には赤のサブピクセルＲ１１があり、青のサブピクセルＢ１１の他方側には赤のサブピクセルＲ１２がある。連続する６つのフレーム期間のフレーム０〜フレーム５において、赤のサブピクセルＲ１１はフレーム期間のフレーム０、フレーム１、フレーム４及びフレーム５の合計４つのフレーム期間に点灯し、青のサブピクセルＢ１１はフレーム期間のフレーム１〜フレーム４の合計４つのフレーム期間に点灯し、赤のサブピクセルＲ１１はフレーム期間のフレーム０及びフレーム５の合計２つのフレーム期間に点灯し、赤のサブピクセルＲ１２はフレーム期間のフレーム２及びフレーム３の合計２つのフレーム期間に点灯する。したがって、サブピクセル繰り返し単位２０３の２つのサブピクセル及び隣接する２つのサブピクセルの合計４つのサブピクセルは、連続する６つのフレーム期間において、同等のグレースケールが最大グレースケールの２／３であり、中間グレースケールを実現した。
【００５０】
図６ｂに示すように、第２行のサブピクセル繰り返し単位２０３を例として、片側拡散するデータディザリングを説明する。サブピクセル繰り返し単位２０３の第２行から、一方側が互いに隣接する青のサブピクセルＢ２１及び赤のサブピクセルＲ２１を選択する。赤のサブピクセルＲ２１の他方側には赤のサブピクセルＧ２１がある。連続する６つのフレーム期間のフレーム０〜フレーム５において、青のサブピクセルＢ２１はフレーム期間のフレーム０、フレーム２、フレーム３及びフレーム５の合計４つのフレーム期間に点灯し、赤のサブピクセルＲ２１はフレーム期間のフレーム０、フレーム１、フレーム３及びフレーム４の合計４つのフレーム期間に点灯し、赤のサブピクセルＲ２１はフレーム期間のフレーム１、フレーム２、フレーム４及びフレーム５の合計４つのフレーム期間に点灯する。したがって、サブピクセル繰り返し単位２０３の２つのサブピクセル及び隣接する１つのサブピクセルの合計３つのサブピクセルは、連続する６つのフレーム期間において、同等のグレースケールが最大グレースケールの２／３であり、中間グレースケールを実現した。
【００５１】
本発明の第２実施例に係るサブピクセル駆動方法は基本的に第１実施例と同じである。連続するフレーム期間内のサブピクセルの点灯回数を維持する場合、連続するフレーム期間内のサブピクセルの点灯順序を変更する。以下、第１の実施例を参照しながら、第２実施例の相違点について説明し、両者の同じ点については詳細に説明しない。
【００５２】
図７ａ及び図７ｂは、本発明の第２実施例に係るサブピクセル駆動方法の第１サブピクセル繰り返し単位の概略図を示す。
【００５３】
図４ａと比べると、図７ａに示すように、両側拡散するデータディザリングにおいて、青のサブピクセルＢ１１はフレーム期間のフレーム０及びフレーム１の合計２つのフレーム期間に点灯し、青のサブピクセルＢ１２はフレーム期間のフレーム４及びフレーム５の合計２つのフレーム期間に点灯し、赤のサブピクセルＲ１１及び緑のサブピクセルＧ１１の点灯回数及び順序が変わらない。
【００５４】
図４ｂと比べると、図７ｂに示すように、片側拡散するデータディザリングにおいて、緑のサブピクセルＧ２１はフレーム１〜フレーム４の合計４つのフレーム期間に点灯し、青のサブピクセルＢ２１及び赤のサブピクセルＲ２１は、フレーム期間のフレーム０、フレーム１、フレーム４及びフレーム５の合計４つのフレーム期間に点灯する。
【００５５】
したがって、サブピクセル繰り返し単位２０１の２つのサブピクセル及び隣接する１つのサブピクセルの合計３つのサブピクセルは、連続する６つのフレーム期間において、同等のグレースケールが最大グレースケールの２／３であり、中間グレースケールを実現した。
【００５６】
図８ａ及び図８ｂは、本発明の第２実施例に係るサブピクセル駆動方法の第２サブピクセル繰り返し単位の概略図を示す。
【００５７】
図５ａと比べると、図８ａに示すように、両側拡散するデータディザリングにおいて、赤のサブピクセルＲ１１はフレーム期間のフレーム０及びフレーム１の合計２つのフレーム期間に点灯し、赤のサブピクセルＲ１２はフレーム期間のフレーム４及びフレーム５の合計２つのフレーム期間に点灯し、青のサブピクセルＲ１１及び緑のサブピクセルＧ１１の点灯回数及び順序が変わらない。
【００５８】
図５ｂと比べると、図８ｂに示すように、片側拡散するデータディザリングにおいて、緑のサブピクセルＧ２１はフレーム１〜フレーム４の合計４つのフレーム期間に点灯し、赤のサブピクセルＲ２１及び青のサブピクセルＲ２１はフレーム期間のフレーム０、フレーム１、フレーム４及びフレーム５の合計４つのフレーム期間に点灯する。
【００５９】
したがって、サブピクセル繰り返し単位２０２の２つのサブピクセル及び隣接する１つのサブピクセルの合計３つのサブピクセルは、連続する６つのフレーム期間において、同等のグレースケールが最大グレースケールの２／３であり、中間グレースケールを実現した。
【００６０】
図９ａ及び９ｂは本発明の第２実施例に係るサブピクセル駆動方法の第３サブピクセル繰り返し単位の概略図を示す。
【００６１】
図６ａと比べると、図９ａに示すように、両側拡散するデータディザリングにおいて、赤のサブピクセルＲ１１はフレーム期間のフレーム０及びフレーム１の合計２つのフレーム期間に点灯し、赤のサブピクセルＲ１２はフレーム期間のフレーム４及びフレーム５の合計２つのフレーム期間に点灯し、緑のサブピクセルＧ１１はフレーム１〜フレーム４の合計４つのフレーム期間に点灯し、青のサブピクセルＢ１１はフレーム２〜フレーム５の合計４つのフレーム期間に点灯する。
【００６２】
図６ｂと比べると、図９ｂに示すように、片側拡散するデータディザリングにおいて、青のサブピクセルＢ２１はフレーム０〜フレーム３の合計４つのフレーム期間に点灯し、赤のサブピクセルＲ２１はフレーム１〜フレーム４の合計４つのフレーム期間に点灯し、緑のサブピクセルＧ２１はフレーム２〜フレーム５の合計４つのフレーム期間に点灯する。
【００６３】
したがって、サブピクセル繰り返し単位２０３の２つのサブピクセル及び隣接する１つのサブピクセルの合計３つのサブピクセルは、連続する６つのフレーム期間において、同等のグレースケールが最大グレースケールの２／３であり、中間グレースケールを実現した。
【００６４】
図１０ａ及び１０ｂは第２タイプの表示画面のピクセル構造及びピクセル拡散タイプの概略図を示す。
【００６５】
図１０ａに示すように、サブピクセル繰り返し単位３０１及び３０２の幅Ｗはそれぞれ２つのサブピクセルの幅である。サブピクセル繰り返し単位３０１を例として、第１行のサブピクセル繰り返し単位３０１には隣接する１つの赤及び１つの緑のサブピクセルが含まれ、第２行のサブピクセル繰り返し単位３０１には隣接する１つの青のサブピクセル及び１つの緑のサブピクセルが含まれ、以下同様である。したがって、各行において、互いに隣接する２つのサブピクセル繰り返し単位には１つの赤のサブピクセル、１つの青のサブピクセル及び２つの緑のサブピクセルが含まれる。
【００６６】
サブピクセル繰り返し単位３０１において、隣接する２つのサブピクセルは行方向（図の矢印で示される方向）において互いに隣接し、列方向において１つのサブピクセルの高さの距離がずらしている。
【００６７】
図１０ｂに示すように、第１行及び第２行のサブピクセル繰り返し単位３０１及び３０２はいずれも片側拡散し、即ち、サブピクセル繰り返し単位がその一方側に隣接するサブピクセル単位とともに、ディザリング処理され、以下同様である。
【００６８】
該実施例において、サブピクセル繰り返し単位３０１の数量比がＳ＝１／２又は１であり、ディザリング期間Ｔｄのフレーム数がＮ＝２であり、数量比Ｓとフレーム数Ｎとの積は整数１又は２である。
【００６９】
図１１は本発明の第３実施例に係るサブピクセル駆動方法のサブピクセル繰り返し単位の概略図を示す。該サブピクセル駆動方法は例えば、図１０ａ及び１０ｂに示す第２タイプの表示画面に用いられ、サブピクセル繰り返し単位３０１及び３０２がいずれも片側拡散する。
【００７０】
図に示すように、第１行のサブピクセル繰り返し単位３０１を例として、片側拡散するデータディザリングを説明する。サブピクセル繰り返し単位３０１の第１行から、一方側が互いに隣接する赤のサブピクセルＲ１１及び緑のサブピクセルＧ１１を選択する。緑のサブピクセルＧ１１の他方側には青のサブピクセルＢ１１がある。連続する２つのフレーム期間のフレーム０〜フレーム１において、赤のサブピクセルＲ１１は合計１つのフレーム期間に点灯し、緑のサブピクセルＧ１１はフレーム期間のフレーム０及びフレーム１の合計２つのフレーム期間に点灯し、青のサブピクセルＢ１１はフレーム期間のフレーム１という１つのフレーム期間に点灯する。したがって、サブピクセル繰り返し単位３０１の２つのサブピクセル及び隣接する１つのサブピクセルの合計３つのサブピクセルは、連続する２つのフレーム期間において、同等のグレースケールが最大グレースケールの１／２であり、中間グレースケールを実現した。
【００７１】
図１２ａ及び１２ｂは第３タイプの表示画面のピクセル構造及びピクセル拡散タイプの概略図を示す。
【００７２】
図１２ａに示すように、サブピクセル繰り返し単位４０１〜４０３の幅Ｗはそれぞれ１つのサブピクセルの幅である。各行において、互いに隣接する３つのサブピクセル繰り返し単位は２つの赤のサブピクセル、２つの青のサブピクセル及び２つの緑のサブピクセルを含む。
【００７３】
図１２ｂに示すように、第１行及び第２行のサブピクセル繰り返し単位４０１〜４０３は全部片側拡散し、即ち、サブピクセル繰り返し単位はその一方側に隣接するサブピクセル単位とともに、ディザリング処理され、以下同様である。
【００７４】
該実施例において、サブピクセル繰り返し単位４０１の数量比がＳ＝２／３であり、ディザリング期間Ｔｄのフレーム数がＮ＝６であり、数量比Ｓとフレーム数Ｎとの積は整数２である。
【００７５】
図１３は本発明の第４実施例に係るサブピクセル駆動方法の第１サブピクセル繰り返し単位の概略図を示す。該サブピクセル駆動方法は例えば、図１２ａ及び１２ｂに示す第３タイプの表示画面に用いられ、サブピクセル繰り返し単位４０１が片側拡散する。
【００７６】
図に示すように、第１行のサブピクセル繰り返し単位４０１を例として、片側拡散するデータディザリングを説明する。サブピクセル繰り返し単位４０１の第１行から、互いに隣接して三角形に配列される青のサブピクセルＢ１１、赤のサブピクセルＲ１１及び緑のサブピクセルＧ１１を選択する。赤のサブピクセルＲ１１の他方側には青のサブピクセルＢ２１がある。連続する６つのフレーム期間のフレーム０〜フレーム５において、赤のサブピクセルＲ１１はフレーム０、フレーム１、フレーム４及びフレーム５の合計４つのフレーム期間に点灯し、緑のサブピクセルはフレーム０、フレーム２、フレーム３及びフレーム４の合計４つのフレーム期間に点灯し、青のサブピクセルＢ１１はフレーム１及びフレーム６の合計２つのフレーム期間に点灯し、青のサブピクセルＢ１２はフレーム２及びフレーム３の合計２つのフレーム期間に点灯する。したがって、サブピクセル繰り返し単位４０１の３つのサブピクセル及び隣接する１つのサブピクセル、合計４つのサブピクセルは、連続する６つのフレーム期間において、同等のグレースケールが最大グレースケールの２／３であり、中間グレースケールを実現した。
【００７７】
図１４は本発明の第４実施例に係るサブピクセル駆動方法の第２サブピクセル繰り返し単位の概略図を示す。該サブピクセル駆動方法は例えば、図１２ａ及び１２ｂに示す第３タイプの表示画面に用いられ、サブピクセル繰り返し単位４０２が片側拡散する。
【００７８】
図に示すように、第１行のサブピクセル繰り返し単位４０２を例として、片側拡散するデータディザリングを説明する。サブピクセル繰り返し単位４０２の第１行から、互いに隣接して三角形に配列される青のサブピクセルＢ１１、赤のサブピクセルＲ１１及び緑のサブピクセルＧ１１を選択する。赤のサブピクセルＲ１１の他方側には青のサブピクセルＢ２１がある。連続する６つのフレーム期間のフレーム０〜フレーム５において、赤のサブピクセルＲ１１はフレーム０、フレーム１、フレーム４及びフレーム５の合計４つのフレーム期間に点灯し、緑のサブピクセルはフレーム１〜フレーム４の合計４つのフレーム期間に点灯し、青のサブピクセルＢ１１はフレーム０及びフレーム５の合計２つのフレーム期間に点灯し、青のサブピクセルＢ１２はフレーム２及びフレーム３の合計２つのフレーム期間に点灯する。したがって、サブピクセル繰り返し単位４０２の３つのサブピクセル及び隣接する１つのサブピクセル、合計４つのサブピクセルは、連続する６つのフレーム期間において、同等のグレースケールが最大グレースケールの２／３であり、中間グレースケールを実現した。
【００７９】
図１５は本発明の第４実施例によるサブピクセル駆動方法の第３サブピクセル繰り返し単位の概略図を示す。該サブピクセル駆動方法は、例えば、図１２ａ及び１２ｂに示す第３タイプの表示画面に用いられ、サブピクセル繰り返し単位４０３が片側拡散する。
【００８０】
図に示すように、第１行のサブピクセル繰り返し単位４０３を例として、片側拡散するデータディザリングを説明する。サブピクセル繰り返し単位４０３の第１行から、互いに隣接して三角形に配列される青のサブピクセルＢ１１、赤のサブピクセルＲ１１及び緑のサブピクセルＧ１１を選択する。赤のサブピクセルＲ１１の他方側には青のサブピクセルＢ２１がある。連続する６つのフレーム期間のフレーム０〜フレーム５において、赤のサブピクセルＲ１１はフレーム１〜フレーム４の合計４つのフレーム期間に点灯し、緑のサブピクセルはフレーム０、フレーム１、フレーム４及びフレーム５の合計４つのフレーム期間に点灯し、青のサブピクセルＢ１１はフレーム２及びフレーム３の合計２つのフレーム期間に点灯し、青のサブピクセルＢ１２はフレーム０及びフレーム５の合計２つのフレーム期間に点灯する。したがって、サブピクセル繰り返し単位４０３の３つのサブピクセル及び隣接する１つのサブピクセル、合計４つのサブピクセルは、連続する６つのフレーム期間において、同等のグレースケールが最大グレースケールの２／３であり、中間グレースケールを実現した。
【００８１】
図１６ａ〜１６ｃは第４タイプの表示画面のピクセル構造及びピクセル拡散タイプの概略図を示す。
【００８２】
図１６ａに示すように、サブピクセル繰り返し単位５０１及び５０２の幅Ｗはそれぞれ１．５個のサブピクセルの幅である。各行において、互いに隣接する２つのサブピクセル繰り返し単位は１つの赤のサブピクセル、１つの青のサブピクセル及び２つの緑のサブピクセルを含む。
【００８３】
図１６ｂ及び１６ｃに示すように、第１行及び第２行のサブピクセル繰り返し単位５０１及び５０２はいずれも片側拡散し、即ち、サブピクセル繰り返し単位はその一方側に隣接するサブピクセル単位とともにディザリング処理され、以下同様である。
【００８４】
該実施例において、サブピクセル繰り返し単位５０１の数量比はＳ＝１／２又は１であり、ディザリング期間Ｔｄのフレーム数はＮ＝２であり、数量比Ｓとフレーム数Ｎとの積は整数１又は２である。
【００８５】
図１７は本発明の第５実施例に係るサブピクセル駆動方法の第１サブピクセル繰り返し単位の概略図を示す。該サブピクセル駆動方法は例えば、図１６ａ〜１６ｃに示す第４タイプの表示画面に用いられ、サブピクセル繰り返し単位５０１が片側拡散する。
【００８６】
図に示すように、第１行のサブピクセル繰り返し単位５０１を例として、片側拡散するデータディザリングを説明する。サブピクセル繰り返し単位５０１の第１行から、互いに隣接する赤のサブピクセルＲ１１及び緑のサブピクセルＧ１１を選択し、赤のサブピクセルＲ１１のピクセルサイズが緑のサブピクセルＧ１１のピクセルサイズよりも大きい。緑のサブピクセルＧ１１の他方側には青のサブピクセルＢ１１があり、赤のサブピクセルＲ１１のピクセルサイズが青のサブピクセルＢ１１のピクセルサイズに等しい。連続する２つのフレーム期間のフレーム０及びフレーム１において、赤のサブピクセルＲ１１はフレーム０という１つのフレーム期間に点灯し、緑のサブピクセルＧ１１はフレーム０及びフレーム１の合計２つのフレーム期間に点灯し、青のサブピクセルＢ１１はフレーム１という１つのフレーム期間に点灯する。したがって、サブピクセル繰り返し単位５０１の２つのサブピクセル及び隣接する１つのサブピクセルの合計３つのサブピクセルは、連続する２つのフレーム期間において、同等のグレースケールが最大グレースケールの１／２であり、中間グレースケールを実現した。
【００８７】
図１８は本発明の第５実施例に係るサブピクセル駆動方法の第２サブピクセル繰り返し単位の概略図を示す。該サブピクセル駆動方法は例えば、図１６ａ〜１６ｃに示す第４タイプの表示画面に用いられ、サブピクセル繰り返し単位５０２が片側拡散する。
【００８８】
図に示すように、第１行のサブピクセル繰り返し単位５０２を例として、片側拡散するデータディザリングを説明する。サブピクセル繰り返し単位５０２の第１行から、互いに隣接する青のサブピクセルＢ１１及び緑のサブピクセルＧ１１を選択し、青のサブピクセルＢ１１のピクセルサイズが緑のサブピクセルＧ１１のピクセルサイズよりも大きい。緑のサブピクセルＧ１１の他方側には赤のサブピクセルＲ１１があり、青のサブピクセルＢ１１のピクセルサイズが赤のサブピクセルＲ１１のピクセルサイズに等しい。連続する２つのフレーム期間のフレーム０及びフレーム１において、青のサブピクセルＢ１１がフレーム０という１つのフレーム期間に点灯し、緑のサブピクセルＧ１１はフレーム０及びフレーム１の合計２つのフレーム期間に点灯し、赤のサブピクセルＲ１１はフレーム１という１つのフレーム期間に点灯する。したがって、サブピクセル繰り返し単位５０２の２つのサブピクセル及び隣接する１つのサブピクセルの合計３つのサブピクセルは、連続する２つのフレーム期間において、同等のグレースケールが最大グレースケールの１／２であり、中間グレースケールを実現した。
【００８９】
図１９ａ〜１９ｃは第５タイプの表示画面のピクセル構造及びピクセル拡散タイプの概略図を示す。
【００９０】
図１９ａに示すように、サブピクセル繰り返し単位６０１及び６０２の幅Ｗはそれぞれ１．５個サブピクセルの幅である。各行において、互いに隣接する２つのサブピクセル繰り返し単位は１つの赤のサブピクセル、１つの青のサブピクセル及び１つの緑のサブピクセルを含む。
【００９１】
図１９ｂ及び１９ｃに示すように、第１行及び第２行のサブピクセル繰り返し単位６０１は片側拡散し、即ちサブピクセル繰り返し単位がその一方側に隣接するサブピクセル単位とともにディザリング処理され、第１行及び第２行のサブピクセル繰り返し単位６０２は片側拡散し、即ちサブピクセル繰り返し単位がその両側に隣接するサブピクセル単位とともにディザリング処理され、以下同様である。
【００９２】
該実施例において、サブピクセル繰り返し単位６０１の数量比はＳ＝１／２であり、ディザリング期間Ｔｄのフレーム数はＮ＝４であり、数量比Ｓとフレーム数Ｎとの積が整数２である。
【００９３】
図２０は本発明の第６実施例に係るサブピクセル駆動方法の第１サブピクセル繰り返し単位の概略図を示す。該サブピクセル駆動方法は例えば、図１９ａ〜１９ｃに示す第５タイプの表示画面に用いられ、サブピクセル繰り返し単位６０１が片側拡散する。
【００９４】
図に示すように、第１行のサブピクセル繰り返し単位６０１を例として、片側拡散するデータディザリングを説明する。サブピクセル繰り返し単位６０１の第１行から、互いに隣接する赤のサブピクセルＲ１１及び緑のサブピクセルＧ１１を選択する。緑のサブピクセルＧ１１の他方側には青のサブピクセルＢ１１がある。連続する４つのフレーム期間のフレーム０〜フレーム３において、赤のサブピクセルＲ１１はフレーム０及びフレーム２の合計２つのフレーム期間に点灯し、緑のサブピクセルＧ１１はフレーム１及びフレーム３の合計２つのフレーム期間に点灯し、青のサブピクセルＢ１１はフレーム０及びフレーム２の合計２つのフレーム期間に点灯する。したがって、サブピクセル繰り返し単位６０１の２つのサブピクセル及び隣接する１つのサブピクセルの合計３つのサブピクセルは、連続する４つのフレーム期間において、同等のグレースケールが最大グレースケールの１／２であり、中間グレースケールを実現した。
【００９５】
図２１は本発明の第６実施例に係るサブピクセル駆動方法の第２サブピクセル繰り返し単位の概略図を示す。該サブピクセル駆動方法は例えば、図１９ａ〜１９ｃに示す第５タイプの表示画面に用いられ、サブピクセル繰り返し単位６０２が両側拡散する。
【００９６】
図に示すように、第１行のサブピクセル繰り返し単位６０２を例として、両側拡散するデータディザリングを説明する。サブピクセル繰り返し単位６０２の第１行から、互いに隣接する青のサブピクセルＢ１１及び赤のサブピクセルＲ１１を選択する。青のサブピクセルＢ１１の他方側には緑のサブピクセルＧ１１があり、赤のサブピクセルＲ１１の他方側には緑のサブピクセルＧ１２がある。連続する４つのフレーム期間のフレーム０〜フレーム３において、青のサブピクセルＢ１１及び赤のサブピクセルＲ１１はフレーム０及びフレーム２の合計２つのフレーム期間に点灯し、緑のサブピクセルＲ１１はフレーム１という１つのフレーム期間に点灯し、緑のサブピクセルＲ１２はフレーム３という１つのフレーム期間に点灯する。したがって、サブピクセル繰り返し単位６０２の２つのサブピクセル及び隣接する１つのサブピクセル、合計４つのサブピクセルは、連続する４つのフレーム期間において、同等のグレースケールが最大グレースケールの１／２であり、中間グレースケールを実現した。
【００９７】
本発明の実施例によれば、例えば、上記のように、これら実施例では、すべての詳細を詳細に説明しておらず、該発明を具体的な実施例のみに制限することを意図していない。明らかに、上記の説明に照らして多くの修正及び変更が可能である。本明細書は、本発明の原理及び実際の使用をよりよく説明するために、これらの実施例を選択して具体的に説明するが、それにより、当業者は、本発明をよりよく利用し、及び本発明に基づいて修正して使用することができる。本発明の保護範囲は、本発明の特許請求の範囲により定義される範囲によって決定されるべきである。
【図１】
2021513671.tif 000003
【図２】
2021513671.tif 000004
【図３ａ】
2021513671.tif 000005
【図３ｂ】
2021513671.tif 000006
【図４ａ】
2021513671.tif 000007
【図４ｂ】
2021513671.tif 000008
【図５ａ】
2021513671.tif 000009
【図５ｂ】
2021513671.tif 000010
【図６ａ】
2021513671.tif 000011
【図６ｂ】
2021513671.tif 000012
【図７ａ】
2021513671.tif 000013
【図７ｂ】
2021513671.tif 000014
【図８ａ】
2021513671.tif 000015
【図８ｂ】
2021513671.tif 000016
【図９ａ】
2021513671.tif 000017
【図９ｂ】
2021513671.tif 000018
【図１０ａ】
2021513671.tif 000019
【図１０ｂ】
2021513671.tif 000020
【図１１】
2021513671.tif 000021
【図１２ａ】
2021513671.tif 000022
【図１２ｂ】
2021513671.tif 000023
【図１３】
2021513671.tif 000024
【図１４】
2021513671.tif 000025
【図１５】
2021513671.tif 000026
【図１６ａ−１６ｃ】
2021513671.tif 000027
【図１７】
2021513671.tif 000028
【図１８】
2021513671.tif 000029
【図１９ａ−１９ｃ】
2021513671.tif 000030
【図２０】
2021513671.tif 000031
【図２１】
2021513671.tif 000032
【手続補正書】
【提出日】令和2年8月12日(2020.8.12)
【手続補正１】
【補正対象書類名】明細書
【補正対象項目名】全文
【補正方法】変更
【補正の内容】
【発明の詳細な説明】
【技術分野】
【０００１】
本願は２０１８年８月１７日に提出された、出願番号が２０１８１０９３９７９８．４、発明の名称が「ディスプレイ駆動装置及びサブピクセル駆動方法」の中国特許出願の優先権を主張し、その内容の全てを参照として本願に援用する。
【０００２】
［技術分野］
本発明は画像処理技術に関し、さらに具体的には、ディスプレイ駆動装置及びサブピクセル駆動方法に関する。
【背景技術】
【０００３】
表示画面に表示される画像を観察するとき、画質は観察者の視角に関連している。例えば、観察者の視角が表示画面表面の法線方向に沿っている場合、画質は最高になる。視角が法線方向から外れるほど、画質は次第に低下する。画質が低下する主な理由はカラーアーティファクトであり、即ち、視角が法線方向から外れると、赤、緑、青のサブピクセルの輝度は全部低下するが、低下の程度が異なるため、観察者の知覚する色は所定の値から逸脱し、それによりカラーアーティファクトを形成する。
【０００４】
上記のカラーアーティファクトの問題は、高視角で画像を観察する場合に存在するだけでなく、表示画面の低電力モードでも存在する。表示画面の駆動回路は、通常の表示モードと低電力モードで動作し、異なるディスプレイ駆動チャンネルを使用して表示データを処理するように構成されてもよい。表示画面の低電力モードでは、マルチビットで表される表示データを、１ビットで表される表示データに変換することができ、各サブピクセルの輝度値を１又は０に設定し、それによってカラー画像を、最大グレースケール及び最小グレースケールのサブピクセルによって表されるグレースケール画像に変換する。観察者が知覚する赤、緑、青のサブピクセルの輝度変化程度は異なる。たとえ視角が変化しなくても、観察者の知覚する色は所定の値から逸脱し、それによりカラーアーティファクトを形成することにもなる。
【０００５】
表示データに対してサブピクセルレンダリング（ＳＰＲ）を行うことにより、カラーアーティファクトを減らすことができる。通常の表示モードでは、ＳＰＲ駆動チャンネルは、複数のサブピクセル繰り返し単位を含み、サブピクセル繰り返し単位が１つ又は２つのサブピクセルを含むピクセル単位である。サブピクセルレンダリングは、大きな視角での画質を向上させるだけでなく、表示画面の視角範囲を拡大することができる。ただし、サブピクセルレンダリングは、画像のエッジにカラーエッジ（ｃｏｌｏｒ  ｅｄｇｅ）が生じ、画像のローカル領域にカラーアーティファクトが発生するという新しい問題を引き起こす可能性がある。
【０００６】
したがって、表示画面の消費電力制御と画質のバランスをとるように、サブピクセル駆動方法をさらに改善することが期待されている。
【発明の概要】
【０００７】
上記問題に鑑み、本発明の目的は、連続するフレーム期間における複数のサブピクセルのディザリング処理により、同等の中間グレースケールを得て、カラーアーティファクトの発生を抑制することである。
【０００８】
本発明の第１態様によれば、表示画面用サブピクセル駆動方法を提供し、前記表示画面は複数のピクセル単位を含み、前記複数のピクセル単位がそれぞれピクセル構造に配列し、異なる色を表示するための複数のサブピクセルを含み、前記方法は、カラー画像信号を最小グレースケール及び最大グレースケールによって表されるグレースケール画像信号に変換することと、前記ピクセル構造に基づいて、行方向に沿って配列される複数のサブピクセルを含むサブピクセル繰り返し単位を選択することと、連続する複数のフレーム期間には、前記サブピクセル繰り返し単位の内部サブピクセル及び隣接する外部サブピクセルを利用してデータディザリングを行い、前記グレースケール画像信号をレンダリング画像信号に変換することにおいて、前記レンダリング画像信号のサブピクセルには、データディザリングによって生成れた同等の中間グレースケールがある、ことと、レンダリング画像信号を用いて前記複数のサブピクセルを駆動することとを含む。
【０００９】
好ましくは、前記ピクセル構造は、行方向及び列方向を含む配列構造であり、サブピクセル繰り返し単位を選択するステップは、行方向に沿って前記サブピクセル繰り返し単位を決定することと、前記サブピクセル繰り返し単位と同等のピクセル単位との数量比Ｓを取得することとを含み、前記同等のピクセル単位は、赤、緑、青の三色を表示するための１組のサブピクセルを含む。
【００１０】
好ましくは、前記データディザリングのディザリング期間は連続する複数のフレーム期間を含み、数量比Ｓの取得ステップとデータディザリングのステップとの間に、前記ディザリング期間を取得することがさらに含まれ、前記複数のフレーム期間のフレーム数Ｎと数量比Ｓとの積が１以上の整数である。
【００１１】
好ましくは、前記サブピクセル繰り返し単位の数量比Ｓは１／２、１／３、２／３の１つであり、前記ディザリング期間のフレーム数Ｎは２、６、６の対応する１つであり、前記同等の中間グレースケールが最大グレースケールの１／２、１／３、２／３の対応する１つである。
【００１２】
好ましくは、前記外部サブピクセルは前記サブピクセル繰り返し単位の片側又は両側に隣接するサブピクセルであり、前記外部サブピクセルはサブピクセル繰り返し単位に含まれない色のサブピクセルを補完する。
【００１３】
好ましくは、データディザリングのステップにおいて、前記複数のフレーム期間の少なくとも１つのフレーム期間には、前記サブピクセル繰り返し単位の内部サブピクセル及び外部サブピクセルの少なくとも１つのサブピクセルは、画像信号とは無関係に最小グレースケールに維持される。
【００１４】
好ましくは、前記データディザリングにより、表示画面の消費電力を削減し、カラーアーティファクトを抑制する。
【００１５】
本発明の第２態様によれば、受信したカラー画像信号を第１駆動信号に処理するための第１駆動チャンネルと、受信したカラー画像信号を第２駆動信号に処理するための第２駆動チャンネルと、表示画面の第１モード及び第２モード選択信号に基づいて、第１駆動チャンネル及び第２駆動チャンネルの１つを選択するための選択ユニットとを備える、ディスプレイ駆動装置を提供し、ここで、前記表示画面の第２モードの消費電力が第１モードの消費電力よりも小さく、前記第２駆動チャンネルは、同等の中間グレースケールを得るように、連続する複数のフレーム期間に画像信号をディザリング処理する。
【００１６】
好ましくは、前記第２駆動チャンネルは、前記カラー画像信号を最小グレースケール及び最大グレースケールによって表されるグレースケール画像信号に変換するためのデータ変換モジュールと、連続する複数のフレーム期間には、レンダリング画像信号を生成するように、前記グレースケール画像信号をディザリングするためのデータディザリングモジュールと、前記レンダリング画像信号のバイナリ値に基づいて、最小グレースケール及び最大グレースケールの１つを選択するための電圧選択モジュールにおいて、前記レンダリング画像信号のサブピクセルには、データのディザリングによって生成される同等の中間グレースケールがある、電圧選択モジュールとを含む。
【００１７】
本発明の実施例に係るディスプレイ駆動装置及びサブピクセル駆動方法によれば、隣接する複数のサブピクセルをピクセル繰り返し単位として使用し、同等の中間グレースケールを取得するように、連続する複数のフレーム期間にディザリング処理を行う。該連続する複数のフレーム期間はディザリング期間を構成する。表示画面の低電力モードでは、カラー画像を最大グレースケール及び中間グレースケールのサブピクセルによって表されるグレースケール画像に変換する。該改善されたサブピクセルレンダリングにより、低電力モードでのサブピクセルの同等輝度値が低下し、消費電力がさらに削減するだけでなく、観察者が知覚する異なる色のサブピクセルの輝度値の差も減少し、したがって、カラーアーティファクトの発生を抑えることに役立つ。
【図面の簡単な説明】
【００１８】
本発明の上記及び追加の目的、特徴及び利点は、以下の図面を参照した本発明の実施例の説明からより明らかになる。図面において、
【００１９】
【図１】図１は、本発明に係るディスプレイ駆動装置の概略ブロック図を示す。
【図２】図２は、本発明に係るサブピクセル駆動方法のフローチャートを示す。
【図３ａ】図３ａは第１タイプの表示画面のピクセル構造及びピクセル拡散タイプの概略図を示す。
【図３ｂ】図３ｂは第１タイプの表示画面のピクセル構造及びピクセル拡散タイプの概略図を示す。
【図４ａ】図４ａは、本発明の第１実施例に係るサブピクセル駆動方法の第１サブピクセル繰り返し単位の概略図を示す。
【図４ｂ】図４ｂは、本発明の第１実施例に係るサブピクセル駆動方法の第１サブピクセル繰り返し単位の概略図を示す。
【図５ａ】図５ａは、本発明の第１実施例に係るサブピクセル駆動方法の第２サブピクセル繰り返し単位の概略図を示す。
【図５ｂ】図５ｂは、本発明の第１実施例に係るサブピクセル駆動方法の第２サブピクセル繰り返し単位の概略図を示す。
【図６ａ】図６ａは、本発明の第１実施例に係るサブピクセル駆動方法の第３サブピクセル繰り返し単位の概略図を示す。
【図６ｂ】図６ｂは、本発明の第１実施例に係るサブピクセル駆動方法の第３サブピクセル繰り返し単位の概略図を示す。
【図７ａ】図７ａは、本発明の第２実施例に係るサブピクセル駆動方法の第１サブピクセル繰り返し単位の概略図を示す。
【図７ｂ】図７ｂは、本発明の第２実施例に係るサブピクセル駆動方法の第１サブピクセル繰り返し単位の概略図を示す。
【図８ａ】図８ａは、本発明の第２実施例に係るサブピクセル駆動方法の第２サブピクセル繰り返し単位の概略図を示す。
【図８ｂ】図８ｂは、本発明の第２実施例に係るサブピクセル駆動方法の第２サブピクセル繰り返し単位の概略図を示す。
【図９ａ】図９ａは、本発明の第２実施例に係るサブピクセル駆動方法の第３サブピクセル繰り返し単位の概略図を示す。
【図９ｂ】図９ｂは、本発明の第２実施例に係るサブピクセル駆動方法の第３サブピクセル繰り返し単位の概略図を示す。
【図１０ａ】図１０ａは第２タイプの表示画面のピクセル構造及びピクセル拡散タイプの概略図を示す。
【図１０ｂ】図１０ｂは第２タイプの表示画面のピクセル構造及びピクセル拡散タイプの概略図を示す。
【図１１】図１１は、本発明の第３実施例に係るサブピクセル駆動方法のサブピクセル繰り返し単位の概略図を示す。
【図１２ａ】図１２ａは第３タイプの表示画面のピクセル構造及びピクセル拡散タイプの概略図を示す。
【図１２ｂ】図１２ｂは第３タイプの表示画面のピクセル構造及びピクセル拡散タイプの概略図を示す。
【図１３】図１３は、本発明の第４実施例に係るサブピクセル駆動方法の第１サブピクセル繰り返し単位の概略図を示す。
【図１４】図１４は、本発明の第４実施例に係るサブピクセル駆動方法の第２サブピクセル繰り返し単位の概略図を示す。
【図１５】図１５は、本発明の第４実施例に係るサブピクセル駆動方法の第３サブピクセル繰り返し単位の概略図を示す。
【図１６ａ】図１６ａは第４タイプの表示画面のピクセル構造及びピクセル拡散タイプの概略図を示す。
【図１６ｂ】図１６ｂは第４タイプの表示画面のピクセル構造及びピクセル拡散タイプの概略図を示す。
【図１６ｃ】図１６ｃは第４タイプの表示画面のピクセル構造及びピクセル拡散タイプの概略図を示す。
【図１７】図１７は、本発明の第５実施例に係るサブピクセル駆動方法の第１サブピクセル繰り返し単位の概略図を示す。
【図１８】図１８は、本発明の第５実施例に係るサブピクセル駆動方法の第２サブピクセル繰り返し単位の概略図を示す。
【図１９ａ】図１９ａは、第５タイプの表示画面のピクセル構造及びピクセル拡散タイプの概略図を示す。
【図１９ｂ】図１９ｂは、第５タイプの表示画面のピクセル構造及びピクセル拡散タイプの概略図を示す。
【図１９ｃ】図１９ｃは、第５タイプの表示画面のピクセル構造及びピクセル拡散タイプの概略図を示す。
【図２０】図２０は、本発明の第６実施例に係るサブピクセル駆動方法の第１サブピクセル繰り返し単位の概略図を示す。
【図２１】図２１は、本発明の第６実施例に係るサブピクセル駆動方法の第２サブピクセル繰り返し単位の概略図を示す。
【発明を実施するための形態】
【００２０】
以下、本発明の様々な実施例を、添付の図面を参照しながらより詳細に説明する。様々な図面において、同じ要素は同じ又は類似の参照番号で示す。明確にするために、図面の各部分は縮尺通りに描かれていない。
【００２１】
次に、添付の図面及び実施例を参照しながら本発明をさらに説明する。
【００２２】
図１は、本発明に係るディスプレイ駆動装置の概略ブロック図を示す。該ディスプレイ駆動装置１００は、表示画面を駆動するように構成されており、該表示画面が、異なる色を表示するための複数のサブピクセルをそれぞれ含む複数のピクセル単位を備える。ディスプレイ駆動装置１００は、選択ユニット１０１、第１駆動チャンネル１１０、及び第２駆動チャンネル１２０を備える。
【００２３】
選択ユニット１０１は表示画面のモード選択信号に基づいて、第１駆動チャンネル１１０及び第２駆動チャンネル１２０の１つを選択する。第１駆動チャンネル１１０及び第２駆動チャンネル１２０は受信した画像信号をそれぞれ、表示画面の通常表示モードと低電力モードで第１駆動信号及び第２駆動信号に処理する。
【００２４】
第１駆動チャンネル１１０は第１電圧変換モジュール１１１、モード評価モジュール１１２、ピクセル補償モジュール１１３及び第２電圧変換モジュール１１４を含む。第１電圧変換モジュール１１１は非線形ガンマ画像信号を線形画像信号に変換する。モード評価モジュール１１２は例えば、画像に対してエッジ検出を行う。ピクセル補償モジュール１１３は、例えば、画像品質を改善するように、画像のエッジ情報を補償する。第２電圧変換モジュール１１４は、線形画像信号を第１駆動信号として非線形ガンマ画像信号に再変換する。
【００２５】
第２駆動チャンネルはデータ変換モジュール１２１、データディザリングモジュール１２２及び電圧選択モジュール１２３を含む。データ変換モジュール１２１は受信したカラー画像信号を、最小グレースケール及び最大グレースケールによって表されるグレースケール画像信号に変換する。データディザリングモジュール１２２は連続する複数のフレーム期間に、グレースケール画像信号に対してディザリング処理を行い、グレースケール画像信号をレンダリング画像信号に変換し、前記レンダリング画像信号のサブピクセルには、データディザリングにより生成される同等の中間グレースケールがある。電圧選択モジュール１２３はレンダリング画像信号のバイナリ値に基づいて、最小グレースケール及び最大グレースケールの１つを選択し、表示画面の複数のサブピクセルを駆動するための第２駆動信号を取得する。
【００２６】
本発明の実施例に係るディスプレイ駆動装置によれば、表示画面の低電力モードでは、カラー画像を最大グレースケール及び中間グレースケールのサブピクセルによって表されるグレースケール画像に変換する。データディザリングモジュールは、連続する複数のフレーム期間に、同等の中間グレースケールを取得するように、ディザリング処理を行い、低電力モードでのサブピクセルの同等輝度値を小さくし、消費電力をさらに削減できるだけでなく、観察者が知覚する異なる色のサブピクセルの輝度値の差もそれに応じて減少するため、カラーアーティファクトの発生を抑制することに役立つ。
【００２７】
図２は、本発明に係るサブピクセル駆動方法のフローチャートを示す。
【００２８】
ステップＳ０１では、受信したカラー画像信号を最小グレースケール及び最大グレースケールによって表されるグレースケール画像信号に変換する。該ステップでは、例えば、表示画面の低電力モードに必要な画像信号を生成する。
【００２９】
ステップＳ０２では、表示画面のピクセル構造に基づいて、サブピクセル繰り返し単位を選択する。ピクセル構造は行方向及び列方向を含む配列構造である。例えば、行方向に沿ってサブピクセル繰り返し単位を決定する。
【００３０】
該実施例において、サブピクセル繰り返し単位の内部サブピクセルは例えば、赤、緑、青の一部のみの１組のサブピクセルを含む。サブピクセル繰り返し単位の内部サブピクセル及びその隣接する外部サブピクセルは同等のピクセル単位に構成することができる。同等のピクセル単位は赤、緑、青の三色の１組のサブピクセルを含む。
【００３１】
サブピクセル繰り返し単位の数量比Ｓはその同等のピクセル単位に対する比率である。例えば、隣接する３つのサブピクセル繰り返し単位は２つの同等のピクセル単位を含む場合、数量比Ｓ＝２／３になる。
【００３２】
ステップＳ０３では、連続する複数のフレーム期間には、サブピクセル繰り返し単位の内部サブピクセル及び隣接する外部サブピクセルを用いてデータディザリングを行い、前記グレースケール画像信号をレンダリング画像信号に変換し、前記レンダリング画像信号のサブピクセルにはデータディザリングにより生成される同等の中間グレースケールがある。
【００３３】
データディザリングに用いられた外部サブピクセルは前記サブピクセル繰り返し単位の一方側又は両側の隣接するサブピクセルであり、前記外部サブピクセルは前記サブピクセル繰り返し単位に含まれない色のサブピクセルを補完する。
【００３４】
データディザリングに採用したディザリング期間Ｔｄは連続する複数のフレーム期間Ｔｆを含む。例えば、サブピクセル繰り返し単位の数量比Ｓに基づいて、ディザリング期間Ｔｄを取得する。ディザリング期間Ｔｄに含まれたフレーム数Ｎと数量比Ｓとの積は１以上の整数である。
【００３５】
例えば、サブピクセル繰り返し単位の数量比Ｓは１／２、１／３、２／３の１つであり、前記ディザリング期間のフレーム数Ｎは２、６、６の対応する１つであり、前記同等の中間グレースケールは最大グレースケールの１／２、１／３、２／３の対応する１つである。
【００３６】
ステップＳ０４では、レンダリング画像信号を用いて表示画面の複数のサブピクセルを駆動する。
【００３７】
本発明の実施例に係るサブピクセル駆動方法によれば、連続する複数のフレーム期間に、同等の中間グレースケールを取得するように、ディザリング処理を行い、低電力モードでのサブピクセルの同等の輝度値を下げ、電力消費をさらに削減できるとともに、観察者が知覚する異なる色のサブピクセル輝度値の差もそれに応じて削減され、それによりカラーアーティファクトの発生を抑制することに役立つ。
【００３８】
図３ａ及び３ｂは第１タイプの表示画面のピクセル構造及びピクセル拡散タイプの概略図を示す。
【００３９】
図３ａに示すように、サブピクセル繰り返し単位２０１〜２０３の幅Ｗはそれぞれ２つのサブピクセルの幅である。サブピクセル繰り返し単位２０１を例として、第１行のサブピクセル繰り返し単位２０１は隣接する１つの赤及び１つの緑のサブピクセルを含み、第２行のサブピクセル繰り返し単位２０１には中間の１つの青のサブピクセル、及び隣接する１つの１／２緑のサブピクセル及び１つの１／２赤のサブピクセルが含まれ、以下同様である。したがって、各行において、互いに隣接する３つのサブピクセル繰り返し単位は２つの赤のサブピクセル、２つの緑のサブピクセル及び２つの青のサブピクセルを含む。
【００４０】
図３ｂに示すように、第１行のサブピクセル繰り返し単位２０１〜２０３は、両側拡散し、即ち、サブピクセル繰り返し単位がその両側に隣接するサブピクセル単位とともにディザリング処理され、第２行のサブピクセル繰り返し単位２０１〜２０３は片側拡散し、即ち、サブピクセル繰り返し単位がその一方側に隣接するサブピクセル単位とともににディザリング処理され、以下同様である。
【００４１】
該実施例において、サブピクセル繰り返し単位２０１の数量比がＳ＝２／３で、ディザリング期間Ｔｄのフレーム数がＮ＝６であり、数量比Ｓとフレーム数Ｎとの積が整数２である。
【００４２】
図４ａ及び図４ｂは、本発明の第１実施例に係るサブピクセル駆動方法の第１サブピクセル繰り返し単位の概略図を示す。該サブピクセル駆動方法は例えば、図３ａ及び３ｂに示す第１タイプの表示画面に用いられる。
【００４３】
図４ａに示すように、第１行のサブピクセル繰り返し単位２０１を例として、両側拡散するデータディザリングを説明する。サブピクセル繰り返し単位２０１の第１行は、一方側が互いに隣接する赤のサブピクセルＲ１１及び緑のサブピクセルＧ１１を含む。赤のサブピクセルＲ１１の他方側には青のサブピクセルＢ１１があり、緑のサブピクセルＧ１１の他方側には青のサブピクセルＢ１２がある。連続する６つのフレーム期間のフレーム０〜フレーム５には、赤のサブピクセルＲ１１がフレーム期間のフレーム０、フレーム１、フレーム４及びフレーム５の４つのフレーム期間に点灯し、緑のサブピクセルＧ１１がフレーム期間のフレーム１〜フレーム４の４つのフレーム期間に点灯し、青のサブピクセルＢ１１がフレーム期間のフレーム０及びフレーム５の２つのフレーム期間に点灯し、青のサブピクセルＢ１２がフレーム期間のフレーム２及びフレーム３の２つのフレーム期間に点灯する。したがって、サブピクセル繰り返し単位２０１の２つのサブピクセル及び隣接する２つのサブピクセルの合計４つのサブピクセルは、連続する６つのフレーム期間において、同等のグレースケールが最大グレースケールの２／３であり、それによって中間グレースケールを実現した。
【００４４】
図４ｂに示すように、第２行のサブピクセル繰り返し単位２０１を例として、片側拡散するデータディザリングを説明する。サブピクセル繰り返し単位２０１の第２行から、一方側が互いに隣接する緑のサブピクセルＧ２１及び青のサブピクセルＢ２１を選択する。青のサブピクセルＢ２１の他方側には赤のサブピクセルＲ２１がある。連続する６つのフレーム期間のフレーム０〜フレーム５において、緑のサブピクセルＧ２１はフレーム期間のフレーム０、フレーム２、フレーム３及びフレーム５の４つのフレーム期間に点灯し、青のサブピクセルＢ２１はフレーム期間のフレーム０、フレーム１、フレーム３及びフレーム４の合計４つのフレーム期間に点灯し、赤のサブピクセルＲ２１はフレーム期間のフレーム１、フレーム２、フレーム４及びフレーム５の合計４つのフレーム期間に点灯する。したがって、サブピクセル繰り返し単位２０１の２つのサブピクセル及び隣接する１つのサブピクセルの合計３つのサブピクセルは、連続する６つのフレーム期間には、同等のグレースケールが最大グレースケールの２／３であり、中間グレースケールを実現した。
【００４５】
図５ａ及び図５ｂは、本発明の第１実施例に係るサブピクセル駆動方法の第２サブピクセル繰り返し単位の概略図を示す。該サブピクセル駆動方法は、例えば、図３ａ及び３ｂに示す第１タイプの表示画面に用いられる。
【００４６】
図５ａに示すように、第１行のサブピクセル繰り返し単位２０２を例として、両側拡散するデータディザリングを説明する。サブピクセル繰り返し単位２０２の第１行は、一方側が互いに隣接する青のサブピクセルＢ１１及び赤のサブピクセルＲ１１を含む。青のサブピクセルＢ１１の他方側には緑のサブピクセルＧ１１があり、赤のサブピクセルＲ１１の他方側には緑のサブピクセルＧ１２がある。連続する６つのフレーム期間のフレーム０〜フレーム５において、青のサブピクセルＢ１１はフレーム期間のフレーム０、フレーム１、フレーム４及びフレーム５の合計４つのフレーム期間に点灯し、赤のサブピクセルＲ１１はフレーム期間のフレーム１〜フレーム４の合計４つのフレーム期間に点灯し、緑のサブピクセルＧ１１はフレーム期間のフレーム０〜フレーム５の合計２つのフレーム期間に点灯し、緑のサブピクセルＧ１２はフレーム期間のフレーム２及びフレーム３の合計２つのフレーム期間に点灯する。したがって、サブピクセル繰り返し単位２０２の２つのサブピクセル及び隣接する２つのサブピクセルの合計４つのサブピクセルは、連続する６つのフレーム期間において、同等のグレースケールが最大グレースケールの２／３であり、中間グレースケールを実現した。
【００４７】
図５ｂに示すように、第２行のサブピクセル繰り返し単位２０２を例として、片側拡散するデータディザリングを説明する。サブピクセル繰り返し単位２０２の第２行から、一方側が互いに隣接する赤のサブピクセルＲ２１及び緑のサブピクセルＧ２１を選択する。緑のサブピクセルＧ２１の他方側には青のサブピクセルＢ２１がある。連続する６つのフレーム期間のフレーム０〜フレーム５において、赤のサブピクセルＲ２１はフレーム期間のフレーム０、フレーム２、フレーム３及びフレーム５の合計４つのフレーム期間に点灯し、緑のサブピクセルＧ２１はフレーム期間のフレーム０、フレーム１、フレーム３及びフレーム４の合計４つのフレーム期間に点灯し、青のサブピクセルＢ２１はフレーム期間のフレーム１、フレーム２、フレーム４及びフレーム５の４つのフレーム期間に点灯する。したがって、サブピクセル繰り返し単位２０２の２つのサブピクセル及び隣接する１つのサブピクセルの合計３つのサブピクセルは、連続する６つのフレーム期間において、同等のグレースケールが最大グレースケールの２／３であり、中間グレースケールを実現した。
【００４８】
図６ａ及び図６ｂは、本発明の第１実施例に係るサブピクセル駆動方法の第３サブピクセル繰り返し単位の概略図を示す。該サブピクセル駆動方法は、例えば、図３ａ及び３ｂに示す第１タイプの表示画面に用いられる。
【００４９】
図６ａに示すように、第１行のサブピクセル繰り返し単位２０３を例として、両側拡散するデータディザリングを説明する。サブピクセル繰り返し単位２０３の第１行は、一方側が互いに隣接する緑のサブピクセルＧ１１及び青のサブピクセルＢ１１を含む。緑のサブピクセルＧ１１の他方側には赤のサブピクセルＲ１１があり、青のサブピクセルＢ１１の他方側には赤のサブピクセルＲ１２がある。連続する６つのフレーム期間のフレーム０〜フレーム５において、緑のサブピクセルＧ１１はフレーム期間のフレーム０、フレーム１、フレーム４及びフレーム５の合計４つのフレーム期間に点灯し、青のサブピクセルＢ１１はフレーム期間のフレーム１〜フレーム４の合計４つのフレーム期間に点灯し、赤のサブピクセルＲ１１はフレーム期間のフレーム０及びフレーム５の合計２つのフレーム期間に点灯し、赤のサブピクセルＲ１２はフレーム期間のフレーム２及びフレーム３の合計２つのフレーム期間に点灯する。したがって、サブピクセル繰り返し単位２０３の２つのサブピクセル及び隣接する２つのサブピクセルの合計４つのサブピクセルは、連続する６つのフレーム期間において、同等のグレースケールが最大グレースケールの２／３であり、中間グレースケールを実現した。
【００５０】
図６ｂに示すように、第２行のサブピクセル繰り返し単位２０３を例として、片側拡散するデータディザリングを説明する。サブピクセル繰り返し単位２０３の第２行から、一方側が互いに隣接する青のサブピクセルＢ２１及び赤のサブピクセルＲ２１を選択する。赤のサブピクセルＲ２１の他方側には緑のサブピクセルＧ２１がある。連続する６つのフレーム期間のフレーム０〜フレーム５において、青のサブピクセルＢ２１はフレーム期間のフレーム０、フレーム２、フレーム３及びフレーム５の合計４つのフレーム期間に点灯し、赤のサブピクセルＲ２１はフレーム期間のフレーム０、フレーム１、フレーム３及びフレーム４の合計４つのフレーム期間に点灯し、緑のサブピクセルＧ２１はフレーム期間のフレーム１、フレーム２、フレーム４及びフレーム５の合計４つのフレーム期間に点灯する。したがって、サブピクセル繰り返し単位２０３の２つのサブピクセル及び隣接する１つのサブピクセルの合計３つのサブピクセルは、連続する６つのフレーム期間において、同等のグレースケールが最大グレースケールの２／３であり、中間グレースケールを実現した。
【００５１】
本発明の第２実施例に係るサブピクセル駆動方法は基本的に第１実施例と同じである。連続するフレーム期間内のサブピクセルの点灯回数を維持する場合、連続するフレーム期間内のサブピクセルの点灯順序を変更する。以下、第１の実施例を参照しながら、第２実施例の相違点について説明し、両者の同じ点については詳細に説明しない。
【００５２】
図７ａ及び図７ｂは、本発明の第２実施例に係るサブピクセル駆動方法の第１サブピクセル繰り返し単位の概略図を示す。
【００５３】
図４ａと比べると、図７ａに示すように、両側拡散するデータディザリングにおいて、青のサブピクセルＢ１１はフレーム期間のフレーム０及びフレーム１の合計２つのフレーム期間に点灯し、青のサブピクセルＢ１２はフレーム期間のフレーム４及びフレーム５の合計２つのフレーム期間に点灯し、赤のサブピクセルＲ１１及び緑のサブピクセルＧ１１の点灯回数及び順序が変わらない。
【００５４】
図４ｂと比べると、図７ｂに示すように、片側拡散するデータディザリングにおいて、緑のサブピクセルＧ２１はフレーム１〜フレーム４の合計４つのフレーム期間に点灯し、青のサブピクセルＢ２１及び赤のサブピクセルＲ２１は、フレーム期間のフレーム０、フレーム１、フレーム４及びフレーム５の合計４つのフレーム期間に点灯する。
【００５５】
したがって、サブピクセル繰り返し単位２０１の２つのサブピクセル及び隣接する１つのサブピクセルの合計３つのサブピクセルは、連続する６つのフレーム期間において、同等のグレースケールが最大グレースケールの２／３であり、中間グレースケールを実現した。
【００５６】
図８ａ及び図８ｂは、本発明の第２実施例に係るサブピクセル駆動方法の第２サブピクセル繰り返し単位の概略図を示す。
【００５７】
図５ａと比べると、図８ａに示すように、両側拡散するデータディザリングにおいて、緑のサブピクセルＧ１１はフレーム期間のフレーム０及びフレーム１の合計２つのフレーム期間に点灯し、緑のサブピクセルＧ１２はフレーム期間のフレーム４及びフレーム５の合計２つのフレーム期間に点灯し、青のサブピクセルＢ１１及び赤のサブピクセルＲ１１の点灯回数及び順序が変わらない。
【００５８】
図５ｂと比べると、図８ｂに示すように、片側拡散するデータディザリングにおいて、緑のサブピクセルＧ２１はフレーム１〜フレーム４の合計４つのフレーム期間に点灯し、赤のサブピクセルＲ２１及び青のサブピクセルＢ２１はフレーム期間のフレーム０、フレーム１、フレーム４及びフレーム５の合計４つのフレーム期間に点灯する。
【００５９】
したがって、サブピクセル繰り返し単位２０２の２つのサブピクセル及び隣接する１つのサブピクセルの合計３つのサブピクセルは、連続する６つのフレーム期間において、同等のグレースケールが最大グレースケールの２／３であり、中間グレースケールを実現した。
【００６０】
図９ａ及び９ｂは本発明の第２実施例に係るサブピクセル駆動方法の第３サブピクセル繰り返し単位の概略図を示す。
【００６１】
図６ａと比べると、図９ａに示すように、両側拡散するデータディザリングにおいて、赤のサブピクセルＲ１１はフレーム期間のフレーム０及びフレーム１の合計２つのフレーム期間に点灯し、赤のサブピクセルＲ１２はフレーム期間のフレーム４及びフレーム５の合計２つのフレーム期間に点灯し、緑のサブピクセルＧ１１はフレーム１〜フレーム４の合計４つのフレーム期間に点灯し、青のサブピクセルＢ１１はフレーム２〜フレーム５の合計４つのフレーム期間に点灯する。
【００６２】
図６ｂと比べると、図９ｂに示すように、片側拡散するデータディザリングにおいて、青のサブピクセルＢ２１はフレーム０〜フレーム３の合計４つのフレーム期間に点灯し、赤のサブピクセルＲ２１はフレーム１〜フレーム４の合計４つのフレーム期間に点灯し、緑のサブピクセルＧ２１はフレーム２〜フレーム５の合計４つのフレーム期間に点灯する。
【００６３】
したがって、サブピクセル繰り返し単位２０３の２つのサブピクセル及び隣接する１つのサブピクセルの合計３つのサブピクセルは、連続する６つのフレーム期間において、同等のグレースケールが最大グレースケールの２／３であり、中間グレースケールを実現した。
【００６４】
図１０ａ及び１０ｂは第２タイプの表示画面のピクセル構造及びピクセル拡散タイプの概略図を示す。
【００６５】
図１０ａに示すように、サブピクセル繰り返し単位３０１及び３０２の幅Ｗはそれぞれ２つのサブピクセルの幅である。サブピクセル繰り返し単位３０１を例として、第１行のサブピクセル繰り返し単位３０１には隣接する１つの赤及び１つの緑のサブピクセルが含まれ、第２行のサブピクセル繰り返し単位３０１には隣接する１つの青のサブピクセル及び１つの緑のサブピクセルが含まれ、以下同様である。したがって、各行において、互いに隣接する２つのサブピクセル繰り返し単位には１つの赤のサブピクセル、１つの青のサブピクセル及び２つの緑のサブピクセルが含まれる。
【００６６】
サブピクセル繰り返し単位３０１において、隣接する２つのサブピクセルは行方向（図の矢印で示される方向）において互いに隣接し、列方向において１つのサブピクセルの高さの距離がずらしている。
【００６７】
図１０ｂに示すように、第１行及び第２行のサブピクセル繰り返し単位３０１及び３０２はいずれも片側拡散し、即ち、サブピクセル繰り返し単位がその一方側に隣接するサブピクセル単位とともに、ディザリング処理され、以下同様である。
【００６８】
該実施例において、サブピクセル繰り返し単位３０１の数量比がＳ＝１／２又は１であり、ディザリング期間Ｔｄのフレーム数がＮ＝２であり、数量比Ｓとフレーム数Ｎとの積は整数１又は２である。
【００６９】
図１１は本発明の第３実施例に係るサブピクセル駆動方法のサブピクセル繰り返し単位の概略図を示す。該サブピクセル駆動方法は例えば、図１０ａ及び１０ｂに示す第２タイプの表示画面に用いられ、サブピクセル繰り返し単位３０１及び３０２がいずれも片側拡散する。
【００７０】
図に示すように、第１行のサブピクセル繰り返し単位３０１を例として、片側拡散するデータディザリングを説明する。サブピクセル繰り返し単位３０１の第１行から、一方側が互いに隣接する赤のサブピクセルＲ１１及び緑のサブピクセルＧ１１を選択する。緑のサブピクセルＧ１１の他方側には青のサブピクセルＢ１１がある。連続する２つのフレーム期間のフレーム０〜フレーム１において、赤のサブピクセルＲ１１は合計１つのフレーム期間に点灯し、緑のサブピクセルＧ１１はフレーム期間のフレーム０及びフレーム１の合計２つのフレーム期間に点灯し、青のサブピクセルＢ１１はフレーム期間のフレーム１という１つのフレーム期間に点灯する。したがって、サブピクセル繰り返し単位３０１の２つのサブピクセル及び隣接する１つのサブピクセルの合計３つのサブピクセルは、連続する２つのフレーム期間において、同等のグレースケールが最大グレースケールの１／２であり、中間グレースケールを実現した。
【００７１】
図１２ａ及び１２ｂは第３タイプの表示画面のピクセル構造及びピクセル拡散タイプの概略図を示す。
【００７２】
図１２ａに示すように、サブピクセル繰り返し単位４０１〜４０３の幅Ｗはそれぞれ１つのサブピクセルの幅である。各行において、互いに隣接する３つのサブピクセル繰り返し単位は２つの赤のサブピクセル、２つの青のサブピクセル及び２つの緑のサブピクセルを含む。
【００７３】
図１２ｂに示すように、第１行及び第２行のサブピクセル繰り返し単位４０１〜４０３は全部片側拡散し、即ち、サブピクセル繰り返し単位はその一方側に隣接するサブピクセル単位とともに、ディザリング処理され、以下同様である。
【００７４】
該実施例において、サブピクセル繰り返し単位４０１の数量比がＳ＝２／３であり、ディザリング期間Ｔｄのフレーム数がＮ＝６であり、数量比Ｓとフレーム数Ｎとの積は整数２である。
【００７５】
図１３は本発明の第４実施例に係るサブピクセル駆動方法の第１サブピクセル繰り返し単位の概略図を示す。該サブピクセル駆動方法は例えば、図１２ａ及び１２ｂに示す第３タイプの表示画面に用いられ、サブピクセル繰り返し単位４０１が片側拡散する。
【００７６】
図に示すように、第１行のサブピクセル繰り返し単位４０１を例として、片側拡散するデータディザリングを説明する。サブピクセル繰り返し単位４０１の第１行から、互いに隣接して三角形に配列される青のサブピクセルＢ１１、赤のサブピクセルＲ１１及び緑のサブピクセルＧ１１を選択する。赤のサブピクセルＲ１１の他方側には青のサブピクセルＢ２１がある。連続する６つのフレーム期間のフレーム０〜フレーム５において、赤のサブピクセルＲ１１はフレーム０、フレーム１、フレーム４及びフレーム５の合計４つのフレーム期間に点灯し、緑のサブピクセルはフレーム０、フレーム２、フレーム３及びフレーム４の合計４つのフレーム期間に点灯し、青のサブピクセルＢ１１はフレーム１及びフレーム６の合計２つのフレーム期間に点灯し、青のサブピクセルＢ１２はフレーム２及びフレーム３の合計２つのフレーム期間に点灯する。したがって、サブピクセル繰り返し単位４０１の３つのサブピクセル及び隣接する１つのサブピクセル、合計４つのサブピクセルは、連続する６つのフレーム期間において、同等のグレースケールが最大グレースケールの２／３であり、中間グレースケールを実現した。
【００７７】
図１４は本発明の第４実施例に係るサブピクセル駆動方法の第２サブピクセル繰り返し単位の概略図を示す。該サブピクセル駆動方法は例えば、図１２ａ及び１２ｂに示す第３タイプの表示画面に用いられ、サブピクセル繰り返し単位４０２が片側拡散する。
【００７８】
図に示すように、第１行のサブピクセル繰り返し単位４０２を例として、片側拡散するデータディザリングを説明する。サブピクセル繰り返し単位４０２の第１行から、互いに隣接して三角形に配列される青のサブピクセルＢ１１、赤のサブピクセルＲ１１及び緑のサブピクセルＧ１１を選択する。赤のサブピクセルＲ１１の他方側には青のサブピクセルＢ２１がある。連続する６つのフレーム期間のフレーム０〜フレーム５において、赤のサブピクセルＲ１１はフレーム０、フレーム１、フレーム４及びフレーム５の合計４つのフレーム期間に点灯し、緑のサブピクセルはフレーム１〜フレーム４の合計４つのフレーム期間に点灯し、青のサブピクセルＢ１１はフレーム０及びフレーム５の合計２つのフレーム期間に点灯し、青のサブピクセルＢ１２はフレーム２及びフレーム３の合計２つのフレーム期間に点灯する。したがって、サブピクセル繰り返し単位４０２の３つのサブピクセル及び隣接する１つのサブピクセル、合計４つのサブピクセルは、連続する６つのフレーム期間において、同等のグレースケールが最大グレースケールの２／３であり、中間グレースケールを実現した。
【００７９】
図１５は本発明の第４実施例によるサブピクセル駆動方法の第３サブピクセル繰り返し単位の概略図を示す。該サブピクセル駆動方法は、例えば、図１２ａ及び１２ｂに示す第３タイプの表示画面に用いられ、サブピクセル繰り返し単位４０３が片側拡散する。
【００８０】
図に示すように、第１行のサブピクセル繰り返し単位４０３を例として、片側拡散するデータディザリングを説明する。サブピクセル繰り返し単位４０３の第１行から、互いに隣接して三角形に配列される青のサブピクセルＢ１１、赤のサブピクセルＲ１１及び緑のサブピクセルＧ１１を選択する。赤のサブピクセルＲ１１の他方側には青のサブピクセルＢ２１がある。連続する６つのフレーム期間のフレーム０〜フレーム５において、赤のサブピクセルＲ１１はフレーム１〜フレーム４の合計４つのフレーム期間に点灯し、緑のサブピクセルはフレーム０、フレーム１、フレーム４及びフレーム５の合計４つのフレーム期間に点灯し、青のサブピクセルＢ１１はフレーム２及びフレーム３の合計２つのフレーム期間に点灯し、青のサブピクセルＢ１２はフレーム０及びフレーム５の合計２つのフレーム期間に点灯する。したがって、サブピクセル繰り返し単位４０３の３つのサブピクセル及び隣接する１つのサブピクセル、合計４つのサブピクセルは、連続する６つのフレーム期間において、同等のグレースケールが最大グレースケールの２／３であり、中間グレースケールを実現した。
【００８１】
図１６ａ〜１６ｃは第４タイプの表示画面のピクセル構造及びピクセル拡散タイプの概略図を示す。
【００８２】
図１６ａに示すように、サブピクセル繰り返し単位５０１及び５０２の幅Ｗはそれぞれ１．５個のサブピクセルの幅である。各行において、互いに隣接する２つのサブピクセル繰り返し単位は１つの赤のサブピクセル、１つの青のサブピクセル及び２つの緑のサブピクセルを含む。
【００８３】
図１６ｂ及び１６ｃに示すように、第１行及び第２行のサブピクセル繰り返し単位５０１及び５０２はいずれも片側拡散し、即ち、サブピクセル繰り返し単位はその一方側に隣接するサブピクセル単位とともにディザリング処理され、以下同様である。
【００８４】
該実施例において、サブピクセル繰り返し単位５０１の数量比はＳ＝１／２又は１であり、ディザリング期間Ｔｄのフレーム数はＮ＝２であり、数量比Ｓとフレーム数Ｎとの積は整数１又は２である。
【００８５】
図１７は本発明の第５実施例に係るサブピクセル駆動方法の第１サブピクセル繰り返し単位の概略図を示す。該サブピクセル駆動方法は例えば、図１６ａ〜１６ｃに示す第４タイプの表示画面に用いられ、サブピクセル繰り返し単位５０１が片側拡散する。
【００８６】
図に示すように、第１行のサブピクセル繰り返し単位５０１を例として、片側拡散するデータディザリングを説明する。サブピクセル繰り返し単位５０１の第１行から、互いに隣接する赤のサブピクセルＲ１１及び緑のサブピクセルＧ１１を選択し、赤のサブピクセルＲ１１のピクセルサイズが緑のサブピクセルＧ１１のピクセルサイズよりも大きい。緑のサブピクセルＧ１１の他方側には青のサブピクセルＢ１１があり、赤のサブピクセルＲ１１のピクセルサイズが青のサブピクセルＢ１１のピクセルサイズに等しい。連続する２つのフレーム期間のフレーム０及びフレーム１において、赤のサブピクセルＲ１１はフレーム０という１つのフレーム期間に点灯し、緑のサブピクセルＧ１１はフレーム０及びフレーム１の合計２つのフレーム期間に点灯し、青のサブピクセルＢ１１はフレーム１という１つのフレーム期間に点灯する。したがって、サブピクセル繰り返し単位５０１の２つのサブピクセル及び隣接する１つのサブピクセルの合計３つのサブピクセルは、連続する２つのフレーム期間において、同等のグレースケールが最大グレースケールの１／２であり、中間グレースケールを実現した。
【００８７】
図１８は本発明の第５実施例に係るサブピクセル駆動方法の第２サブピクセル繰り返し単位の概略図を示す。該サブピクセル駆動方法は例えば、図１６ａ〜１６ｃに示す第４タイプの表示画面に用いられ、サブピクセル繰り返し単位５０２が片側拡散する。
【００８８】
図に示すように、第１行のサブピクセル繰り返し単位５０２を例として、片側拡散するデータディザリングを説明する。サブピクセル繰り返し単位５０２の第１行から、互いに隣接する青のサブピクセルＢ１１及び緑のサブピクセルＧ１１を選択し、青のサブピクセルＢ１１のピクセルサイズが緑のサブピクセルＧ１１のピクセルサイズよりも大きい。緑のサブピクセルＧ１１の他方側には赤のサブピクセルＲ１１があり、青のサブピクセルＢ１１のピクセルサイズが赤のサブピクセルＲ１１のピクセルサイズに等しい。連続する２つのフレーム期間のフレーム０及びフレーム１において、青のサブピクセルＢ１１がフレーム０という１つのフレーム期間に点灯し、緑のサブピクセルＧ１１はフレーム０及びフレーム１の合計２つのフレーム期間に点灯し、赤のサブピクセルＲ１１はフレーム１という１つのフレーム期間に点灯する。したがって、サブピクセル繰り返し単位５０２の２つのサブピクセル及び隣接する１つのサブピクセルの合計３つのサブピクセルは、連続する２つのフレーム期間において、同等のグレースケールが最大グレースケールの１／２であり、中間グレースケールを実現した。
【００８９】
図１９ａ〜１９ｃは第５タイプの表示画面のピクセル構造及びピクセル拡散タイプの概略図を示す。
【００９０】
図１９ａに示すように、サブピクセル繰り返し単位６０１及び６０２の幅Ｗはそれぞれ１．５個サブピクセルの幅である。各行において、互いに隣接する２つのサブピクセル繰り返し単位は１つの赤のサブピクセル、１つの青のサブピクセル及び１つの緑のサブピクセルを含む。
【００９１】
図１９ｂ及び１９ｃに示すように、第１行及び第２行のサブピクセル繰り返し単位６０１は片側拡散し、即ちサブピクセル繰り返し単位がその一方側に隣接するサブピクセル単位とともにディザリング処理され、第１行及び第２行のサブピクセル繰り返し単位６０２は片側拡散し、即ちサブピクセル繰り返し単位がその両側に隣接するサブピクセル単位とともにディザリング処理され、以下同様である。
【００９２】
該実施例において、サブピクセル繰り返し単位６０１の数量比はＳ＝１／２であり、ディザリング期間Ｔｄのフレーム数はＮ＝４であり、数量比Ｓとフレーム数Ｎとの積が整数２である。
【００９３】
図２０は本発明の第６実施例に係るサブピクセル駆動方法の第１サブピクセル繰り返し単位の概略図を示す。該サブピクセル駆動方法は例えば、図１９ａ〜１９ｃに示す第５タイプの表示画面に用いられ、サブピクセル繰り返し単位６０１が片側拡散する。
【００９４】
図に示すように、第１行のサブピクセル繰り返し単位６０１を例として、片側拡散するデータディザリングを説明する。サブピクセル繰り返し単位６０１の第１行から、互いに隣接する赤のサブピクセルＲ１１及び緑のサブピクセルＧ１１を選択する。緑のサブピクセルＧ１１の他方側には青のサブピクセルＢ１１がある。連続する４つのフレーム期間のフレーム０〜フレーム３において、赤のサブピクセルＲ１１はフレーム０及びフレーム２の合計２つのフレーム期間に点灯し、緑のサブピクセルＧ１１はフレーム１及びフレーム３の合計２つのフレーム期間に点灯し、青のサブピクセルＢ１１はフレーム０及びフレーム２の合計２つのフレーム期間に点灯する。したがって、サブピクセル繰り返し単位６０１の２つのサブピクセル及び隣接する１つのサブピクセルの合計３つのサブピクセルは、連続する４つのフレーム期間において、同等のグレースケールが最大グレースケールの１／２であり、中間グレースケールを実現した。
【００９５】
図２１は本発明の第６実施例に係るサブピクセル駆動方法の第２サブピクセル繰り返し単位の概略図を示す。該サブピクセル駆動方法は例えば、図１９ａ〜１９ｃに示す第５タイプの表示画面に用いられ、サブピクセル繰り返し単位６０２が両側拡散する。
【００９６】
図に示すように、第１行のサブピクセル繰り返し単位６０２を例として、両側拡散するデータディザリングを説明する。サブピクセル繰り返し単位６０２の第１行から、互いに隣接する青のサブピクセルＢ１１及び赤のサブピクセルＲ１１を選択する。青のサブピクセルＢ１１の他方側には緑のサブピクセルＧ１１があり、赤のサブピクセルＲ１１の他方側には緑のサブピクセルＧ１２がある。連続する４つのフレーム期間のフレーム０〜フレーム３において、青のサブピクセルＢ１１及び赤のサブピクセルＲ１１はフレーム０及びフレーム２の合計２つのフレーム期間に点灯し、緑のサブピクセルＧ１１はフレーム１という１つのフレーム期間に点灯し、緑のサブピクセルＧ１２はフレーム３という１つのフレーム期間に点灯する。したがって、サブピクセル繰り返し単位６０２の２つのサブピクセル及び隣接する１つのサブピクセル、合計４つのサブピクセルは、連続する４つのフレーム期間において、同等のグレースケールが最大グレースケールの１／２であり、中間グレースケールを実現した。
【００９７】
本発明の実施例によれば、例えば、上記のように、これら実施例では、すべての詳細を詳細に説明しておらず、該発明を具体的な実施例のみに制限することを意図していない。明らかに、上記の説明に照らして多くの修正及び変更が可能である。本明細書は、本発明の原理及び実際の使用をよりよく説明するために、これらの実施例を選択して具体的に説明するが、それにより、当業者は、本発明をよりよく利用し、及び本発明に基づいて修正して使用することができる。本発明の保護範囲は、本発明の特許請求の範囲により定義される範囲によって決定されるべきである。
【国際調査報告】
2021513671.tif 000033
2021513671.tif 000034
2021513671.tif 000035
2021513671.tif 000036